(57)【要約】  本件特許出願の第１発明による偏光照明システム１０００ａは、光源手段８と、前記光源手段から放出された光を受けて偏光させる偏光手段１０と、前記光源手段から放出されて前記偏光手段を経た光を受けて複屈折させる複屈折媒質２０を含んでなる照明手段を有する。前記照明手段の光が放出される照明空間（Ｓ）には、前記照明手段から放出された光を受けるものであって、入射した光を反射しながら反射した光は偏光を成す偏光反射物６０が設置される。
2014500596.tif 000002
【特許請求の範囲】
【請求項１】
（ａ）光源手段と、（ｂ）前記光源手段から放出された光を受けて偏光させる偏光手段と、（ｃ）前記光源手段から放出されて前記偏光手段を経た光を受けて複屈折させる複屈折媒質と、（ｄ）前記光源手段から放出されて前記偏光手段を通過した後、前記複屈折媒質を通過した光を受けるものであって、入射した光を反射しながら反射した光は全部または一部が偏光を成す偏光反射物を含んでなることを特徴とする偏光照明システム。
【請求項２】
前記偏光手段と複屈折媒質が、相互に積層して配置されたことを特徴とする、請求項１に記載の偏光照明システム。
【請求項３】
前記複屈折媒質が、前記偏光反射物の前面に付着していることを特徴とする、請求項１に記載の偏光照明システム。
【請求項４】
前記偏光手段が、偏光方向が異なる多数の偏光区域からなることを特徴とする、請求項１に記載の偏光照明システム。
【請求項５】
前記複屈折媒質が、複屈折特性が異なる多数の複屈折区域からなることを特徴とする、請求項１に記載の偏光照明システム。
【請求項６】
前記複屈折媒質が、複屈折特性が異なる多数の複屈折区域からなることを特徴とする、請求項４に記載の偏光照明システム。
【請求項７】
前記光源手段が、面光源を成すことを特徴とする、請求項１に記載の偏光照明システム。
【請求項８】
前記光源手段が、光源と前記光源の光を受けて放出する導光板を含んでなることを特徴とする、請求項７に記載の偏光照明システム。
【請求項９】
前記光源手段の光源が、ＬＥＤランプまたは冷陰極蛍光管であることを特徴とする、請求項７または請求項８に記載の偏光照明システム。
【請求項１０】
請求項１ないし請求項８のいずれか一項において、前記偏光反射物が、液体、ガラス、アクリル、クリスタルまたはプラスチックの材質からなることを特徴とする偏光照明システム。
【請求項１１】
（ａ）照明空間に設置された入射した光を反射しながら反射した光の全部または一部が偏光を成す偏光反射物を照射するものであって、（ｂ１）光源手段と、（ｂ２）前記光源手段から放出された光を受けて偏光させる偏光手段と、（ｂ３）前記光源手段から放出されて前記偏光手段を経た光を受けて複屈折させる複屈折媒質を含んでなることを特徴とする照明手段。
【請求項１２】
（ａ）各々色相が異なる光を放出する多数個の光源と、その各々の光源に対して設置される光を偏光させる偏光手段を含んでなる照明手段と、ここで相互に異なる色相の光源に設置される偏光手段の偏光方向は全部または一部が互いに異なり、（ｂ）前記照明手段から放出された光を受けるものであって、入射した光を反射しながら反射した光は全部または一部が偏光を成す偏光反射物を含んでなることを特徴とする偏光照明システム。
【請求項１３】
前記照明手段が、多数個の区域からなり、ここで、同一色相の光を放出する光源の偏光手段の偏光方向は同一区域では同一であるが、異なる区域間では異なることを特徴とする、請求項１２に記載の偏光照明システム。
【請求項１４】
（ａ）照明空間に設置された入射した光を反射しながら反射した光が偏光を成す偏光反射物を照射するものであって、（ｂ１）各々色相が異なる光を放出する多数個の光源と、（ｂ２）その各々の光源に対して設置される光を偏光させる偏光手段を含んでなり、ここで、相互に異なる色相の光源に設置される偏光手段の偏光方向は全部または一部が互いに異なることを特徴とする照明手段。
【請求項１５】
前記照明手段が多数個の区域からなり、ここで、同一色相の光を放出する光源の偏光手段の偏光方向は同一区域では同一であるが、異なる区域間では異なることを特徴とする、請求項１４に記載の照明手段。
【請求項１６】
（ａ）照明空間に設置された入射した光を反射しながら反射した光が全部または一部が偏光を成す偏光反射物と、前記偏光反射物に配置された複屈折媒質を含んでなる照明対象物を照射するものであって、（ｂ１）光源手段と、（ｂ２）前記光源手段から放出された光を受けて偏光させる偏光手段を含んでなることを特徴とする照明手段。
【請求項１７】
（ａ）入射した光を反射しながら反射した光は全部または一部が偏光を成す偏光反射物に照明をなすもので、（ｂ）偏光した光が出力されるもので前記偏光反射物を照射する偏光光源と、（ｃ）前記偏光光源と前記偏光反射物の間に置かれる複屈折媒質を含んでなり、ここで、（ｄ）前記偏光光源から出力される光の偏光方向と前記複屈折媒質と前記偏光反射物は、相互に相対的に回転を成すことを特徴とする偏光照明装置。
【請求項１８】
前記偏光反射物が、液体、ガラス、アクリル、クリスタルまたはプラスチックの材質からなることを特徴とする、請求項１７に記載の偏光照明装置。
【請求項１９】
前記偏光光源が、照射する光の偏光方向が回転を成して前記複屈折媒質と前記偏光反射物は静止していることを特徴とする、請求項１７に記載の偏光照明装置。
【請求項２０】
前記複屈折媒質が回転を成し、前記偏光光源と前記偏光反射物は静止していることを特徴とする、請求項１７に記載の偏光照明装置。
【請求項２１】
前記複屈折媒質と  偏光光源が一体でまたは等速で回転を成し、前記偏光対象物は静止していることを特徴とする、請求項１７に記載の偏光照明装置。
【請求項２２】
向かい合った二つのガラス基板の間にスペーサーを介在させて空間を確保して前記空間に液晶を充填し、それらガラス基板の間をシーラントで密封して、前記ガラス基板には透明電極と配向層が積層されたものであって、前記透明電極に電圧を印加して前記ガラス基板に入射した光の偏光方向を変化させる液晶素子を用いて、前記偏光光源からの偏光した光の偏光方向を回転させることを特徴とする、請求項１７に記載の偏光照明装置。
【請求項２３】
請求項１７ないし請求項２２のいずれか一項において、前記回転が一部角度の回転または角度の変化を含むことを特徴とする偏光照明装置。
【請求項２４】
前記偏光光源と前記複屈折媒質は停止し、前記偏光反射物が回転を成すことを特徴とする、請求項１７に記載の偏光照明装置。
【請求項２５】
（ａ）入射した光を反射しながら反射した光は全部または一部が偏光を成す偏光反射物に照明をなすものであって、（ｂ）赤色（Ｒ）、緑色（Ｇ）及び青色（Ｂ）の三種類の色の偏光した光が各々出力される三つの偏光光源を含んでなり、（ｃ）前記三つの偏光光源の光は混合して白色光を成して前記偏光反射物を照射し、（ｄ）それら三つの偏光光源の偏光方向の全部または一部と前記偏光反射物は相対的に回転を成すことを特徴とする偏光照明装置。
【請求項２６】
前記回転が、一部角度の回転または角度の変化を含むことを特徴とする、請求項２５に記載の偏光照明装置。
【請求項２７】
（ａ）前記三つの偏光光源が、各々Ｒ、Ｇ、Ｂ各々の波長の光を放出する光源と、前記各々の光源からの光を各々偏光させる個々の偏光手段を含んでなり、（ｂ）その各々の偏光光源で偏光したＲ、Ｇ、Ｂ波長の光は、各々向かい合った二つのガラス基板の間にスペーサーを介在させて空間を確保して前記空間に液晶を充填し、それらガラス基板の間をシーラントで密封して前記ガラス基板には透明電極と配向層が積層されたものであって、前記透明電極に電圧を印加して前記ガラス基板に入射した光の偏光方向を変化させる液晶素子を通過しながらその偏光方向が変化することを特徴とする、請求項２５または請求項２６に記載の偏光照明装置。
【請求項２８】
（ａ）反射部材と前記反射部材の表面に設置されたもので、透過する光を偏光させる偏光手段を有する反射対象物と、（ｂ）偏光した光が放出される偏光光源と、（ｃ）前記偏光光源と前記反射対象物の偏光手段の間に設置された複屈折媒質と、前記偏光光源から放出されて前記複屈折媒質を通過した光は前記反射対象物を照射して、（ｄ）前記偏光光源から放出される光の偏光方向と、前記複屈折媒質の一点の位置と、前記反射対象物の偏光手段の偏光方向を相互に変化させる変位手段を含んでなることを特徴とする偏光反射照明システム。
【請求項２９】
前記複屈折媒質が、前記偏光光源と一体に結合されていることを特徴とする、請求項２８に記載の偏光反射照明システム。
【請求項３０】
前記変位手段が、前記偏光光源の偏光方向を回転させる偏光光源の偏光方向回転手段を含んでなることを特徴とする、請求項２８に記載の偏光反射照明システム。
【請求項３１】
前記変位手段が、前記複屈折媒質を回転させる複屈折媒質回転手段を含んでなることを特徴とする、請求項２８に記載の偏光反射照明システム。
【請求項３２】
前記変位手段が、前記反射対象物を回転させる反射対象物回転手段を含んでなることを特徴とする、請求項２８に記載の偏光反射照明システム。
【請求項３３】
前記複屈折媒質が、前記反射対象物において前記偏光手段の表面に付着していることを特徴とする、請求項３０または請求項３２に記載の偏光反射照明システム。
【請求項３４】
前記偏光光源の偏光方向回転手段が、向かい合った二つのガラス基板の間にスペーサーを介在させて空間を確保して前記空間に液晶を充填し、それらガラス基板の間をシーラントで密封して、前記ガラス基板には透明電極と配向層が積層されたものでであって、前記透明電極に電圧を印加して前記ガラス基板に入射した光の偏光方向を変化させる液晶素子であることを特徴とする、請求項３０に記載の偏光反射照明システム。
【請求項３５】
請求項２８ないし請求項３４のいずれか一項において、前記反射部材が一つまたは複数個配置されることを特徴とする偏光反射照明システム。
【請求項３６】
前記反射部材には多数個の偏光手段が設置され、それら偏光手段の偏光方向は一部または全部が異なることを特徴とする、請求項３５に記載の偏光反射照明システム。
【請求項３７】
前記反射対象物が、ミラーボールであることを特徴とする、請求項３６に記載の偏光反射照明システム。
【請求項３８】
（ａ）反射部材と前記反射部材の表面に設置されたもので、透過する光を偏光させる偏光手段を有する反射対象物と、（ｂ）偏光した光を放出するもので、放出する光の色が異なる複数個の偏光光源と、前記複数個の偏光光源は前記反射対象物を照射して、（ｃ）前記複数個の偏光光源の各偏光方向と前記反射対象物の偏光手段の偏光方向を相互に変化させる変位手段を含んでなることを特徴とする偏光反射照明システム。
【請求項３９】
前記複数個の偏光光源が、Ｒ（赤色）の光が偏光して放出される第１偏光光源と、Ｇ（緑色）の光が偏光して放出される第２偏光光源と、Ｂ（青色）の光が偏光して放出される第３偏光光源を含んでなることを特徴とする、請求項３８に記載の偏光反射照明システム。
【請求項４０】
前記Ｒ（赤色）の光が偏光して放出される第１偏光光源と、Ｇ（緑色）の光が偏光して放出される第２偏光光源と、Ｂ（青色）の光が偏光して放出される第３偏光光源を含む複数個の偏光光源から放出される光が、混合して白色光を成すことを特徴とする、請求項３９に記載の偏光反射照明システム。
【請求項４１】
請求項３８ないし請求項４０のいずれか一項において、前記変位手段が向かい合った二つのガラス基板の間にスペーサーを介在させて空間を確保して前記空間に液晶を充填し、それらガラス基板の間をシーラントで密封して、前記ガラス基板には透明電極と配向層が積層されたものであって、前記透明電極に電圧を印加して前記ガラス基板に入射した光の偏光方向を変化させる液晶素子であることを特徴とする偏光反射照明システム。
【請求項４２】
前記反射対象物が、ミラーボールであることを特徴とする、請求項３８に記載の偏光反射照明システム。
【請求項４３】
（ａ）反射部材と前記反射部材の表面に設置されたもので、透過する光を偏光させる偏光手段と、前記偏光手段の表面に設置された複屈折媒質を有する反射対象物と、ここで前記複屈折媒質は複屈折特性が異なる多数の区域に分けられ、（ｂ）偏光した光が放出される偏光光源と、（ｃ）前記偏光光源から放出される光の偏光方向と前記反射対象物の複屈折媒質の一点の位置を相互に変化させる変位手段を含んでなることを特徴とする偏光反射照明システム。
【請求項４４】
前記変位手段が、前記偏光光源の偏光方向を回転させる偏光光源の偏光方向回転手段を含んでなることを特徴とする、請求項４３に記載の偏光反射照明システム。
【請求項４５】
前記反射対象物が、静止または回転を成すことを特徴とする、請求項４４に記載の偏光反射照明システム。
【請求項４６】
前記反射対象物が、ミラーボールであることを特徴とする、請求項４５に記載の偏光反射照明システム。
【請求項４７】
（ａ）光が通過する媒質体として偏光手段が設置された装飾物と、（ｂ）偏光した光が放出される偏光光源と、（ｃ）前記偏光光源と前記装飾物に設置された偏光手段の間に設置された複屈折媒質と、前記偏光光源から放出されて前記複屈折媒質を通過した光が前記装飾物に設置された偏光手段を照射して、（ｄ）前記偏光光源から放出される光の偏光方向と、前記複屈折媒質の一点の位置と、前記装飾物に設置された偏光手段の偏光方向を相互に変化させる変位手段を含んでなることを特徴とする偏光照明装置。
【請求項４８】
前記変位手段が、前記偏光光源から照射される光の偏光方向を回転させ、前記複屈折媒質と前記装飾物に設置された偏光手段は静止していることを特徴とする、請求項４７に記載の偏光照明装置。
【請求項４９】
前記変位手段が前記複屈折媒質を回転させ、前記偏光光源と前記装飾物に設置された偏光手段は静止していることを特徴とする、請求項４７に記載の偏光照明装置。
【請求項５０】
前記変位手段が、前記複屈折媒質と前記偏光光源を一緒に回転させ、前記装飾物に設置された偏光手段は静止していることを特徴とする、請求項４７に記載の偏光照明装置。
【請求項５１】
前記変位手段が、前記装飾物に設置された偏光手段の一点の位置を変化させるものであることを特徴とする、請求項４７に記載の偏光照明装置。
【請求項５２】
前記変位手段が、前記偏光手段を自転させるものであることを特徴とする、請求項５１に記載の偏光照明装置。
【請求項５３】
前記変位手段が、前記偏光手段を前記偏光照明装置のまわりに沿って回転させるものであることを特徴とする、請求項５１に記載の偏光照明装置。
【請求項５４】
前記変位手段が、向かい合った二つのガラス基板の間にスペーサーを介在させて空間を確保して前記空間に液晶を充填し、それらガラス基板の間をシーラントで密封して、前記ガラス基板には透明電極と配向層が積層されたものであって、前記透明電極に電圧を印加して前記ガラス基板に入射した光の偏光方向を変化させる液晶素子であることを特徴とする、請求項４８に記載の偏光照明装置。
【請求項５５】
請求項４８ないし請求項５０のいずれか一項において、前記回転が一部角度の回転または角度の変化を含むことを特徴とする偏光照明装置。
【請求項５６】
前記変位手段が、前記装飾物に設置された偏光手段の一点の位置を変化させるものであることを特徴とする、請求項４７に記載の偏光照明装置。
【請求項５７】
前記複屈折媒質が、前記装飾物に設置された偏光手段の表面に付着したことを特徴とする、請求項４７に記載の偏光照明装置。
【請求項５８】
前記装飾物には陰刻または陽刻を形成すか、または前記装飾物の内部に気泡を形成するかまたは前記装飾物の内部に空の空間を形成するか、または前記装飾物が多数の角を有した多面体であることを特徴とする、請求項４７に記載の偏光照明装置。
【請求項５９】
（ａ）光が通過する媒質体であって偏光手段が設置された装飾物と、（ｂ）偏光した光が放出されるもので、放出される光の色が異なる複数個の偏光光源と、前記複数個の偏光光源が前記装飾物に設置された偏光手段を照射して、（ｃ）前記複数個の偏光光源の各偏光方向と前記装飾物に設置された偏光手段の偏光方向を相互に変化させる変位手段を含んでなることを特徴とする偏光照明装置。
【請求項６０】
前記複数個の偏光光源が、Ｒ（赤色）の光が偏光して放出される第１偏光光源と、Ｇ（緑色）の光が偏光して放出される第２偏光光源と、Ｂ（青色）の光が偏光して放出される第３偏光光源を含んでなることを特徴とする、請求項５９に記載の偏光照明装置。
【請求項６１】
前記第１偏光光源〜第３偏光光源から放出される光が、混合して白色光を成すことを特徴とする、請求項６０に記載の偏光照明装置。
【請求項６２】
前記変位手段が、向かい合った二つのガラス基板の間にスペーサーを介在させて空間を確保して前記空間に液晶を充填し、それらガラス基板の間をシーラントで密封して、前記ガラス基板には透明電極と配向層が積層されたものであって、前記透明電極に電圧を印加して前記ガラス基板に入射した光の偏光方向を変化させる液晶素子であることを特徴とする、請求項５９に記載の偏光照明装置。
【発明の詳細な説明】
【技術分野】
【０００１】
本発明は、偏光照明システムに関するもので、より詳細には、偏光した光を用いて反射光が色相を帯びるようにする照明を得ることができる偏光照明システムに関するものである。
【背景技術】
【０００２】
偏光現象は、光が偏光子を通過しながら進行方向に垂直な任意の平面で電場の方向が一定になることを言う。このような偏光現象の代表的な例は、二つの偏光子を相互間に偏光方向が垂直になるようにおいて光を通過させる場合、光の透過がなくなることである。
【０００３】
このような偏光現象を利用して偏光フィルムなどを用いて光に対して一定方向の偏光性を有するようにできる。
【０００４】
本出願人は、偏光現象に対する研究を通じて多様なディスプレイ装置及び照明装置を出願した。関連出願番号及び発明の名称は下記のとおりである。
【０００５】
特許文献１〜１３参照
【０００６】
一方、光が空気（または真空、液体）中を進行して何かの媒質の境界で一部は媒質を透過して屈折し、一部は反射する場合、反射光は角度によって全部または一部が偏光を成すようになる。このように反射によって偏光を起こす媒質は、ガラス、アクリル、水のような液体、プラスチック、クリスタル、透明塗料など、光がその表面で一部が透過し、一部が反射する物質である。
【０００７】
また、シャンデリアのような照明器具は、反射を成す装飾物を有していて、ミラーボールのようなものはその表面に鏡などの複数個の反射部材で覆われていて、光源から光の照射を受けて前記反射部材で光が反射して照明効果を得るようになるが、ミラーボールまたは光源の回転を通じて独特の照明効果を得ることができる。
【０００８】
本発明は、偏光現象を用いて入射した光を反射しながら反射した光が全部または一部が偏光を成す偏光反射物、シャンデリアのように装飾物が付いた照明器具及びミラーボールのように表面に鏡のような反射部材を有する照明対象物に対して、それらに対して放出される光は白色光などであるので視覚的な妨害を起こさずに反射する光は色相を有し、またそのような色相は変化可能な偏光照明システム及びその方法を提供する。
【先行技術文献】
【特許文献】
【０００９】
【特許文献１】韓国特許出願番号10-2010-0072201、偏光ディスプレイ装置
【特許文献２】韓国特許出願番号10-2010-0088893、偏光ディスプレイ装置
【特許文献３】韓国特許出願番号10-2010-0091423、偏光ディスプレイ装置
【特許文献４】韓国特許出願番号10-2010-0117952、反射体を対象とする偏光照明装置
【特許文献５】韓国特許出願番号10-2010-0117956、液晶素子を用いて偏光方向の変化を成す偏光ディスプレイ装置
【特許文献６】韓国特許出願番号10-2011-0003062、偏光ディスプレイ装置
【特許文献７】韓国特許出願番号10-2011-0032626、偏光照明装置
【特許文献８】韓国特許出願番号10-2011-0039994、偏光反射照明システム
【特許文献９】韓国特許出願番号10-2011-0048592、偏光照明テーブル
【特許文献１０】韓国特許出願番号10-2011-0063584、見る位置によって異なる色相に見え得る偏光ディスプレイ装置
【特許文献１１】韓国特許出願番号10-2011-0074013、偏光ディスプレイ装置（上記の出願件の中で、出願番号10-2010-0072201、10-2010-0088893、10-2011-0003062、10-2010-0117956、10-2010-0091423に対する優先権主張出願件）
【特許文献１２】国際特許出願番号PCT/KR2011/005501、偏光ディスプレイ装置（上記の出願件の中で、出願番号10-2010-0072201、10-2010-0088893、10-2011-0003062、10-2010-0117956、10-2010-0091423に対する優先権主張国際特許出願件）
【特許文献１３】韓国特許出願10-2011-0087761、偏光照明システム
【発明の概要】
【発明が解決しようとする課題】
【００１０】
本発明の目的は、偏光現象を用いて入射した光を反射しながら反射した光が全部または一部が偏光を成す偏光反射物、シャンデリアのように装飾物が付いた照明器具及びミラーボールなどのように表面に鏡のような反射部材を有する照明対象物に対して、それらに対して放出される光は白色光などであるので、視覚的な妨害を起こさずに反射する光は色相を有し、またそのような色相は変化可能な偏光照明システム及びその方法を提供することである。
【課題を解決するための手段】
【００１１】
本件特許出願の第１発明は光源手段と、前記光源手段から放出された光を受けて偏光させる偏光手段と、前記光源手段から放出されて前記偏光手段を経た光を受けて複屈折させる複屈折媒質と、前記光源手段から放出されて前記偏光手段を通過した後、前記複屈折媒質を通過した光を受けるもので、入射した光を反射しながら反射した光は全部または一部が偏光を成す偏光反射物を含んでなることを特徴とする偏光照明システムを提供する。
【００１２】
本第１発明の実施例の場合、前記偏光手段と複屈折媒質は相互に積層して配置することができる。
【００１３】
本第１発明の実施例の場合、前記複屈折媒質は前記偏光反射物の前面に付着し得る。
【００１４】
本第１発明の実施例の場合、前記偏光手段は偏光方向が異なる多数の偏光区域からなり得る。
【００１５】
本第１発明の実施例の場合、前記複屈折媒質は複屈折特性が異なる多数の複屈折区域からなり得る。
【００１６】
本第１発明の実施例の場合、前記光源手段は面光源を成すことが好ましい。
【００１７】
本第１発明の実施例の場合、前記光源手段は光源と前記光源の光を受けて放出する導光板を含んで成り得る。
【００１８】
本第１発明の実施例の場合、前記光源手段の光源はＬＥＤランプまたは冷陰極蛍光管からなり得る。
【００１９】
本第１発明の実施例の場合、前記偏光反射物は液体、ガラス、アクリル、クリスタルまたはプラスチック材質からなり得る。
【００２０】
本件特許出願の第１発明は、また、照明空間に設置された入射した光を反射しながら反射した光は全部または一部が偏光を成す偏光反射物を照射するもので、光源手段と、前記光源手段から放出された光を受けて偏光させる偏光手段と、前記光源手段から放出されて前記偏光手段を経た光を受けて複屈折させる複屈折媒質を含んでなることを特徴とする照明手段を提供する。
【００２１】
本件特許出願の第１発明は、また、各々色相が異なる光を放出する多数個の光源と、その各々の光源に対して設置される光を偏光させる偏光手段を含んでなる照明手段と、ここで相互に異なる色相の光源に設置される偏光手段の偏光方向は全部または一部が互いに異なり、前記照明手段から放出された光を受けるものであって、入射した光を反射しながら反射した光は全部または一部が偏光を成す偏光反射物を含んでなることを特徴とする偏光照明システムを提供する。
【００２２】
この場合、前記照明手段は多数の区域からなり、ここで、同一色相の光を放出する光源の偏光手段の偏光方向は、同一区域では同一であるが異なる区域間では異なり得る。
【００２３】
本件特許出願の第１発明は、さらに、照明空間に設置された入射した光を反射しながら反射した光は偏光を成す偏光反射物を照射するものであって、各々色相が異なる光を放出する多数の光源と、その各々の光源に対して設置される光を偏光させる偏光手段を含んでなり、ここで、相互に異なる色相の光源に設置される偏光手段の偏光方向は、全部または一部が互いに異なることを特徴とする照明手段を提供する。
【００２４】
このような場合、前記照明手段は多数の区域からなり、ここで、同一色相の光を放出する光源の偏光手段の偏光方向は同一区域では同一であるが、異なる区域間では異なり得る。
【００２５】
本件特許出願の第１発明は、またさらに、照明空間に設置された入射した光を反射しながら反射した光は全部または一部が偏光を成す偏光反射物と、前記偏光反射物に配置された複屈折媒質を含んでなる照明対象物を照射するものであって、光源手段と、前記光源手段から放出された光を受けて偏光させる偏光手段を含んでなることを特徴とする照明手段を提供する。
【００２６】
本件特許出願の第２発明は、入射した光を反射させながら反射した光は全部または一部が偏光を成す偏光反射物に照明を成すもので、偏光した光が出力されるもので前記偏光反射物を照射する偏光光源と、前記偏光光源と前記偏光反射物の間に置かれる複屈折媒質を含んでなり、ここで、前記偏光光源から出力される光の偏光方向と前記複屈折媒質と前記偏光反射物は、相互に相対的に回転を成すことを特徴とする偏光照明装置を提供する。
【００２７】
本第２発明による場合、前記偏光反射物は、液体、ガラス、アクリル、クリスタルまたはプラスチックの材質からなり得る。
【００２８】
本第２発明による場合、前記偏光光源は照射される光の偏光方向が回転を成して前記複屈折媒質と前記偏光反射物は静止していることができる。
【００２９】
本第２発明による場合、前記複屈折媒質が回転を成して前記偏光光源と前記偏光反射物は静止していることができる。
【００３０】
本第２発明による場合、前記複屈折媒質と前記偏光光源が一体でまたは等速で回転を成し、前記偏光対象物は静止していることができる。
【００３１】
本第２発明による場合、前記偏光光源と前記複屈折媒質は静止していて、前記偏光反射物が回転を成すことができる。
【００３２】
本第２発明による場合、向かい合った二つのガラス基板の間にスペーサーを介在させて空間を確保し、前記空間に液晶を充填して、それらガラス基板の間をシーラントで密封して、前記ガラス基板には透明電極と配向層が積層されたもので前記透明電極に電圧を印加して前記ガラス基板に入射した光の偏光方向を変化させる液晶素子を用いて前記偏光光源からの偏光された光の偏光方向を回転させることができる。
【００３３】
本第２発明による場合、前記回転は一部角度の回転または角度の変化を含む。
【００３４】
本第２発明はまた入射した光を反射しながら反射した光は全部または一部が偏光を成す偏光反射物に照明を成すもので、赤色（Ｒ）、緑色（Ｇ）及び青色（Ｂ）の三種類の色で偏光した光が各々出力される三つの偏光光源を含んでなり、前記三つの偏光光源の光は混合して白色光を成し、前記反射対象物を照射してそれら三つの各偏光光源の偏光方向の全部または一部と前記偏光反射物は相対的に回転を成すことを特徴とする偏光照明装置を提供する。
【００３５】
このような場合、前記三つの偏光光源は各々Ｒ、Ｇ、Ｂ各々の波長の光を放出する光源と、前記各々の光源からの光を各々偏光させる個々の偏光手段を含んでなり、その各々の偏光光源から偏光したＲ、Ｇ、Ｂ波長の光は、各々向かい合った二つのガラス基板の間にスペーサーを介在させて空間を確保し、前記空間に液晶を充填して、それらガラス基板の間をシーラントで密封して、前記ガラス基板には透明電極と配向層が積層されたものであって、前記透明電極に電圧を印加して前記ガラス基板に入射した光の偏光方向を変化させる液晶素子を通過しながらその偏光方向が変化を成すことができる。
【００３６】
本件特許出願の第３発明は、反射部材と前記反射部材の表面に設置されたものであって透過する光を偏光させる偏光手段を有する反射対象物と、偏光した光が放出される偏光光源と、前記偏光光源と前記反射対象物の偏光手段との間に設置された複屈折媒質と、前記偏光光源から放出されて前記複屈折媒質を通過した光は前記反射対象物を照射して、前記偏光光源から放出される光の偏光方向と、前記複屈折媒質の任意の一点の位置と、前記反射対象物の偏光手段の偏光方向を相互間で変化させる変位手段を含んでなることを特徴とする偏光反射照明システムを提供する。
【００３７】
本件第３発明による場合、前記複屈折媒質は前記偏光光源と一体に結合され得る。
【００３８】
本件第３発明による場合、前記変位手段は前記偏光光源の偏光方向を回転させる偏光光源の偏光方向回転手段を含んで成り得る。
【００３９】
本件第３発明による場合、前記変位手段は前記複屈折媒質を回転させる複屈折媒質回転手段を含んで成り得る。
【００４０】
本件第３発明による場合、前記変位手段は前記反射対象物を回転させる反射対象物回転手段を含んで成り得る。
【００４１】
本件第３発明による場合、前記複屈折媒質は前記反射対象物において前記偏光手段の表面に付着することができ得る。
【００４２】
本件第３発明による場合、前記偏光光源の偏光方向回転手段は向かい合った二つのガラス基板の間にスペーサーを介在させて空間を確保し、前記空間に液晶を充填して、それらガラス基板の間をシーラントで密封して、前記ガラス基板には透明電極と配向層が積層されたものであって、前記透明電極に電圧を印加して前記ガラス基板に入射した光の偏光方向を変化させる液晶素子であり得る。
【００４３】
本件第３発明による場合、前記反射部材は一つまたは複数個を配置することができる。
【００４４】
本件第３発明による場合、前記反射部材には多数個の偏光手段が設置され、それら偏光手段の偏光方向は一部または全部が異なり得る。
【００４５】
本件第３発明による場合、前記反射対象物はミラーボールであり得る。
【００４６】
本件第３発明はまた、反射部材と前記反射部材の表面に設置されるもので、透過する光を偏光させる偏光手段を有する反射対象物と、偏光した光が放出されるもので放出される光の色が異なる複数個の偏光光源と、前記複数個の偏光光源は前記反射対象物を照射して、前記複数個の偏光光源の各偏光方向と前記反射対象物の偏光手段の偏光方向を相互間に変化させる変位手段を含んでなることを特徴とする、偏光反射照明システムを提供する。
【００４７】
このような場合、前記複数個の偏光光源は、Ｒ（赤色）の光が偏光されて放出される第１偏光光源と、Ｇ（緑色）の光が偏光されて放出される第２偏光光源と、Ｂ（青色）の光が偏光されて放出される第３偏光光源を含んで成り得る。
【００４８】
本件第３発明による場合、前記Ｒ（赤色）の光が偏光されて放出される第１偏光光源と、Ｇ（緑色）の光が偏光されて放出される第２偏光光源と、Ｂ（青色）の光が偏光されて放出される第３偏光光源を含んだ複数個の偏光光源から放出される光は混合して白色光を成すことが好ましい。
【００４９】
本件第３発明による場合、前記変位手段は向かい合った二つのガラス基板の間にスペーサーを介在させて空間を確保し、前記空間に液晶を充填して、それらガラス基板の間をシーラントで密封して、前記ガラス基板には透明電極と配向層が積層されたものであって、前記透明電極に電圧を印加して前記ガラス基板に入射した光の偏光方向を変化させる液晶素子であり得る。
【００５０】
本件第３発明による場合、前記反射対象物はミラーボールであり得る。
【００５１】
本件第３発明はさらには反射部材と前記反射部材の表面に設置されたもので透過する光を偏光させる偏光手段と前記偏光手段の表面に設置された複屈折媒質を有する反射対象物と、ここで前記複屈折媒質は複屈折特性が異なる多数の区域に分けられ、偏光した光が放出される偏光光源と、前記偏光光源から放出される光の偏光方向と前記反射対象物の複屈折媒質の一点の位置を相互間で変化させる変位手段を含んでなることを特徴とする、偏光反射照明システムを提供する。
【００５２】
このような場合、前記変位手段は前記偏光光源の偏光方向を回転させる偏光光源の偏光方向回転手段を含んで成り得る。この場合、前記反射対象物は静止または回転を成していることができる。
【００５３】
本件第３発明による場合、前記反射対象物はミラーボールであり得る。
【００５４】
本件特許出願の第４発明は、光が通過する媒質体として、偏光手段が設置された装飾物と、偏光した光が放出される偏光光源と、前記偏光光源と前記装飾物に設置された偏光手段との間に設置された複屈折媒質と、前記偏光光源から放出されて前記複屈折媒質を通過した光は前記装飾物に設置された偏光手段を照射して、前記偏光光源から放出される光の偏光方向と、前記複屈折媒質の任意の一点の位置と、前記装飾物に設置された偏光手段の偏光方向を相互に変化させる変位手段を含んでなることを特徴とする偏光照明装置を提供する。
【００５５】
本第４発明による場合、前記変位手段は前記偏光光源から照射される光の偏光方向を回転させ、前記複屈折媒質と前記装飾物に設置された偏光手段は静止していることができる。
【００５６】
本第４発明による場合、前記変位手段は前記複屈折媒質を回転させ、前記偏光光源と前記装飾物に設置された偏光手段は静止していることができる。
【００５７】
本第４発明による場合、前記変位手段は前記複屈折媒質と前記偏光光源を一緒に回転させ、前記装飾物に設置された偏光手段は静止していることができる。
【００５８】
本第４発明による場合、前記変位手段は前記装飾物に設置された偏光手段の任意の一点の位置を変化させるものであり得る。
【００５９】
本第４発明による場合、前記変位手段は前記偏光手段を自転させるものであり得る。
【００６０】
本第４発明による場合、前記変位手段は前記偏光手段を前記偏光照明装置のまわりに沿って回転させるものであり得る。
【００６１】
本第４発明による場合、前記変位手段は向かい合った二つのガラス基板の間にスペーサーを介在させて空間を確保して、前記空間に液晶を充填し、それらガラス基板の間をシーラントで密封して、前記ガラス基板には透明電極と配向層が積層されたものであり前記透明電極に電圧を印加して前記ガラス基板に入射した光の偏光方向を変化させる液晶素子であり得る。
【００６２】
本第４発明による場合、前記回転は一部角度の回転または角度の変化を含む。
【００６３】
本第４発明による場合、前記変位手段は前記装飾物に設置された偏光手段の任意の一点の位置を変化させるものであり得る。
【００６４】
本第４発明による場合、前記複屈折媒質は前記装飾物に設置された偏光手段の表面に付着することができる。
【００６５】
本第４発明による場合、前記装飾物には陰刻または陽刻を形成したり、または前記装飾物の内部に気泡を形成したりまたは前記装飾物の内部に空の空間を形成したり、または前記装飾物は多数の角を有した多面体であり得る。
【００６６】
本第４発明はまた、光が通過する媒質体として、偏光手段が設置された装飾物と、偏光した光が放出されるものであって放出される光の色が異なる複数個の偏光光源と、前記複数個の偏光光源は前記装飾物に設置された偏光手段を照射して、前記複数個の偏光光源の各偏光方向と前記装飾物に設置された偏光手段の偏光方向を相互に変化させる変位手段を含んでなることを特徴とする偏光照明装置を提供する。
【００６７】
本第４発明による場合、前記複数個の偏光光源は、Ｒ（赤色）の光が偏光されて放出される第１偏光光源と、Ｇ（緑色）の光が偏光されて放出される第２偏光光源と、Ｂ（青色）の光が偏光されて放出される第３偏光光源を含んで成り得る。
【００６８】
本第４発明による場合、前記第１偏光光源ないし第３偏光光源から放出される光は混合して白色光を成すことが好ましい。
【００６９】
本第４発明による場合、前記変位手段は向かい合った二つのガラス基板の間にスペーサーを介在させて空間を確保して、前記空間に液晶を充填して、それらガラス基板の間をシーラントで密封して、前記ガラス基板には透明電極と配向層が積層されたものであって前記透明電極に電圧を印加して前記ガラス基板に入射した光の偏光方向を変化させる液晶素子であり得る。
【発明の効果】
【００７０】
本件特許出願の第１発明による場合、偏光した光を放出して偏光反射物で色相を有する光が反射して出る偏光照明システムを提供する。
【００７１】
この場合、照明手段から放出される光は白色光などであるので視覚的妨害を起こさずに偏光反射物の反射光が色相を帯びるようになり、照明手段の偏光手段または複屈折媒質を偏光方向または複屈折特性が異なる多数の区域に形成することで偏光反射物で反射したように見える照明手段を、その区域別に異なる色相の反射光が出るようにできる。
【００７２】
一方、本件第１発明による場合、見る人の目の位置によって反射光の色相が変わり得る。
【００７３】
また、本件第１発明の偏光照明システムは、互いに異なる色相の光を放出する光源手段を提供し、それらの光源手段各々に対して偏光手段を設置して、互いに異なる色相の光源手段に付着した偏光手段の偏光方向は、全部または一部が互いに方向を異にして、色相別の波長によって偏光方向が異なる光を放出し、このような光が偏光反射物で反射して色相を有する光が反射するようにできる。
【００７４】
この場合、光源手段には区域を形成して、区域が異なれば同一色相の光源手段の偏光手段の偏光方向も異なるようにすることができ、このような場合、区域別に偏光反射物で反射する光の色相が異なるようにすることができる。
【００７５】
本件特許出願の第２発明は、偏光現象を用いて光が照射される偏光反射物で色相が変化して見える独特のディスプレイを成す偏光照明システムを提供している。
【００７６】
本第２発明による偏光照明システムは、光源から照射される光が人の視覚を妨害することなしに前記光が照射される偏光反射物が色相の変化を起こす偏光照明システムを提供する。
【００７７】
本第３発明は、偏光現象を用いてミラーボールのような反射対象物の反射光の色相が変化して、特別に反射対象物表面の偏光手段の偏光方向によってまたは複屈折媒質の複屈折特性によって、各反射光が各々異なった色相に変化しながら反射する偏光反射照明システムを提供する。この場合にも、光源から放出される光の色にはいかなる変化もないにもかかわらず、ミラーボールのような反射対象物の反射光には色の変化が演出されるようになる。
【００７８】
本第４発明は、偏光現象を用いてシャンデリアのように装飾物が付いた照明装置において、その装飾物で色相が変化したように見える偏光照明装置を提供する。この場合にも、照明装置の光源から放出される光の色にはいかなる変化もないにもかかわらず、装飾物では色の変化が演出されるようになる。
【図面の簡単な説明】
【００７９】
【図１】第１発明の一番目の側面による偏光照明システムを示す図。
【図２】第１発明で偏光手段または複屈折媒質が多数個の区域からなる場合を示す図。
【図３】第１発明の二番目の側面による偏光照明システムを示す図。
【図４】第１発明の二番目の側面による偏光照明システムで照明手段が多数個の区域からなる場合を示す図。
【図５】偏光反射物の例として、水が流れる造形物を示す図。
【図６】第１発明の一番目の側面による偏光照明システムの他の実施例を示す図。
【図７】第２発明の一番目の側面による偏光照明システムを示す図。
【図８】出力される光の偏光方向が回転する偏光光源の構造を示す図。
【図９】第２発明の二番目の側面による偏光照明システムを示す図。
【図１０】第２発明によって偏光方向を回転させる液晶素子の構造を示す図。
【図１１】波長別偏光方向変化光出力装置の一例を示す図。
【図１２】第２発明の三番目の側面による偏光照明システムを示す図。
【図１３】Ｒ、Ｇ、Ｂ波長別偏光方向変化光出力装置の一例を示す図。
【図１４】第３発明によるミラーボール照明システムの一実施例を示す図。
【図１５】第３発明によるミラーボール照明システムで偏光複屈折光源の一例を示す図。
【図１６】第３発明で偏光光源の偏光方向を変化させるための液晶素子の構造を示す図。
【図１７】第３発明によるミラーボール照明システムで偏光複屈折光源の他の例を示す図。
【図１８】第３発明によるミラーボール照明システムの二番目の実施例を示す図。
【図１９】Ｒ、Ｇ、Ｂ別に偏光光源の一例を示す図。
【図２０】Ｒ、Ｇ、Ｂ別に偏光光源の他の例を示す図。
【図２１】平面の反射対象物に第３発明が適用された例を示す図。
【図２２】第３発明のまた他の側面による実施例を示す図。
【図２３】図２２の実施例で反射対象物をミラーボールにした場合を示す図。
【図２４】第４発明の一番目の実施例による偏光照明装置を示す図。
【図２５】第４発明の一番目の実施例の偏光複屈折光源の構造を示す図。
【図２６】第４発明の効果が現われる装飾物において色相変化が起きる部分を示す図。
【図２７】第４発明で偏光光源の偏光方向を変化させるための液晶素子の構造を示す図。
【図２８】第４発明の二番目の実施例による偏光複屈折光源を示す図。
【図２９】第４発明の三番目の実施例によるＲ、Ｇ、Ｂ別に偏光光源を示す図。
【図３０】第４発明の四番目の実施例による偏光照明装置を示す図。
【図３１】第４発明の四番目の実施例で装飾物を変位させる変位手段を示す図。
【発明を実施するための形態】
【００８０】
本発明の好ましい実施例を添付した図を参照して説明することにする。
【００８１】
まず、図１〜図６は、本件特許出願の第１発明によるもので、入射した光を反射しながら反射した光は全部または一部が偏光を成す偏光反射物を対象にした偏光照明システムを示している。
【００８２】
図１は、本第１発明の一番目の側面による偏光照明システム１０００ａを示す図である。
【００８３】
本発明による場合、まず光が放出される光源手段８が提供され、前記光源手段８の前方には偏光手段１０が配置されて前記偏光手段１０の前方には複屈折媒質２０が配置される。
【００８４】
それによって前記光源手段８から放出される光は、偏光手段１０を通過した後に複屈折媒質２０を通過するようになる。
【００８５】
それら光源手段８、偏光手段１０及び複屈折媒質２０は、後述する偏光反射物６０ａに対して照明を成す照明手段を構成することができる。
【００８６】
前記光源手段８は、光を放出するもので、ＬＥＤランプ、冷陰極蛍光管（ＣＣＦＬ）などの光源自体かまたは光源の光を均一に効果的に放出するために導光板などを含んだものを用いることができる。
【００８７】
前記偏光手段１０は、光を偏光させるもので、偏光フィルムや偏光フィルター、偏光板などを用いることができる。
【００８８】
前記複屈折媒質２０は、光を複屈折させるもので、複屈折性を有するＯＰＰフィルム、ＰＥＴフィルムなど延伸されたプラスチックフィルムやセロハンフィルム、プラスチック板などを用いることができ、また複屈折のために特別に製造された複屈折フィルムを用いることができる。複屈折媒質として複屈折板、複屈折レンズなどを用いることができるのはもちろんである。
【００８９】
本発明による場合、前記光源手段８の下面に前記偏光手段１０が付着して前記偏光手段１０の下面に前記複屈折媒質２０を付着することができる。例えば、ＬＥＤランプ、冷陰極蛍光管（ＣＣＦＬ）などの光源手段８に偏光フィルムを付着して前記偏光フィルムに複屈折フィルムを付着することができる。
【００９０】
前記光源手段８から放出されて前記偏光手段１０を通過した光は偏光し、以後複屈折媒質２０を通過するようになる。
【００９１】
偏光した光が複屈折媒質を通過すると、波長によって各々異なった偏光方向を有するようになるが、それによって、前記光源手段８から放出されて前記偏光手段１０を経て前記複屈折媒質２０を通過した光は、波長別に各々偏光方向の異なった光になって、照明が成り立つ空間である照明空間（Ｓ）に放出される。この場合、前記照明空間（Ｓ）に放出される光は、光源手段８から放出される光の色相をほとんどそのまま維持するようになる。
【００９２】
通常、白色光が前記光源手段８から放出される場合、前記偏光手段１０を経て前記複屈折媒質２０を通過した光もほぼ白色光を維持し、したがって照明空間（Ｓ）で視覚的な妨害を起こさない。
【００９３】
本発明による場合、照明空間（Ｓ）には偏光反射物６０ａが提供される。
【００９４】
前記偏光反射物６０ａは、入射した光を反射しながら反射した光が全部または一部偏光を成すものである。
【００９５】
例えば、入射した光の一部が透過しながら一部が反射することは、入射角、反射角及び屈折角によってその反射光の全部または一部が偏光を成す。したがって、ガラス、アクリル、クリスタル、プラスチック材質などの物で、一部の光の透過と同時に反射するものが偏光反射物になり得る。
【００９６】
一方で液体の表面のような場合も光の透過と同時に反射が成り立ち、反射光は偏光を成すようになり、本発明による偏光反射物になり得る。（例えば容器に盛られた水や、流れる水など）
【００９７】
本発明による偏光反射物は、このように反射光が全部または一部偏光を成すすべてのものを含む。
【００９８】
前記偏光反射物６０ａは、照明空間で垂直、水平など多様な位置に設置することができる。
【００９９】
このような偏光反射物６０ａの例としては、水が流れる造形物を挙げることができる。すなわち図５のように、垂直板６０１のホーム６１１から水６６が落ちてその下部には水槽６３が形成された形態の造形物が偏光反射物６０ａになり得る。この場合、落ちる水６６の表面で反射する反射光が全部または一部が偏光を成す。
【０１００】
偏光反射物６０ａのまた一つの例としては、ガラス、アクリル、クリスタルまたはプラスチック材質などからなる多様な形態の造形物を挙げることができる。偏光反射物６０ａの成す形態は、板形態を含む。
【０１０１】
照明空間（Ｓ）の壁面がガラス、アクリルなどの材質からなり反射光が偏光を成す場合、前記壁面が偏光反射物６０ａになることができ、クリスタル材質の彫刻品も偏光反射物６０ａになり得る。ガラスコップやクリスタルグラスなども偏光反射物６０ａになり得る。
【０１０２】
それらガラス、アクリル、クリスタルまたはプラスチック材質などからなる多様な形態の造形物である偏光反射物６０ａは、照明空間（Ｓ）の壁に設置することもでき、底に設置することもでき、天井に設置したりまたは天井にぶら下げる方法で設置することもできる。
【０１０３】
一方、このように反射光の全部または一部が偏光を成す偏光反射物は、図１の符号６０ａの偏光反射物の横に示されたように、偏光フィルムのような偏光手段１０’が付着したベース部材６０’からなり、強制的に反射する光を偏光させるもの６０ａ’を含むことができる。この場合、ベース部材６０’は反射を成すすべてのものを含み、鏡も含むことができる。
【０１０４】
また、ベース部材６０’に偏光手段１０’の代わりに塗料を塗ったものも偏光反射物になり得る。
【０１０５】
このような本発明による場合、光源手段８から放出されて前記偏光手段１０及び複屈折媒質２０を経て波長別に各々偏光方向が異なるようになった光が、照明空間（Ｓ）に照射されるのであるが、この光は光源手段８の光の色相をほとんどそのまま有する。一般的に光源手段８は白色光であって、照明空間（Ｓ）に照射される光は白色光になり、視覚的な妨害を起こさない。
【０１０６】
前記照明空間（Ｓ）に放出された波長別に各々偏光方向の異なった光が、前記偏光反射物６０ａの表面で反射する場合、色相を帯びるようになる。すなわち偏光反射物６０ａに色相を帯びた姿で見えるようになるのである。
【０１０７】
それは、波長別に各々偏光方向の異なった光が、前記偏光反射物６０ａで反射する時、反射による偏光方向と垂直を成す偏光方向を有する波長のものは反射を成すことができずに、それ以外の波長のものなどの場合、各々の偏光方向と偏光反射物６０ａで反射する反射光の偏光方向によって全部または一部が反射を成すようになり、前記偏光反射物６０ａで反射した波長による色が混合した色相が現われるのである。
【０１０８】
一方、前記偏光反射物６０ａで反射して現われる色相は、見る人の目の位置によって異なって現われ得るが、それは見る人の目の位置によって光源手段８から出発して前記偏光手段１０と複屈折媒質２０を通過した後、偏光反射物６０ａで反射して見る人の目に到達するようになる光の経路が変わることによって発生し得る。
【０１０９】
特別に、見る人の位置によって複屈折媒質２０に入射する光の角度と複屈折媒質２０での光の通過する経路が変化して複屈折媒質２０を通過した結果が異なるようになり（すなわち見る人の位置によって光が複屈折媒質２０を通過した時に互いに異なる複屈折特性によって複屈折した結果になる）、それによって見る人の位置によって複屈折媒質２０を通過後の波長別に偏光方向が異なるようになり、以後前記偏光反射物６０ａから反射する波長も異なるようになり、結果的に現われる色相も異なるようになる。
【０１１０】
また、前記偏光反射物６０ａで反射する反射光は、それを見る位置によって反射による偏光方向、偏光度または偏光率が異なり得るし、それによって色相が変化し得るものである。
【０１１１】
このように光源手段８から出発して前記偏光手段１０と複屈折媒質２０を通過した後、偏光反射物６０ａで反射して見る人の目に到達するようになる光の経路によって、色相が互いに異なるようになり得るのである。
【０１１２】
一方、偏光反射物６０ａで同一な目の位置を維持しても、ひと目で捉えられる部分が相当に大きな場合、近くから遠い所に行くほど互いに異なる色相に見える。それはひと目で捉えられる二つの離れた地点間の距離が大きい場合、それら個々の地点で複屈折媒質２０に入射する光の角度と複屈折媒質２０での光の通過する経路が変わり得るためで、また光源手段８を出発して偏光反射物６０ａで反射して観察者に到達する光の角度によって、個々の地点で偏光反射物６０ａの反射光の偏光方向や偏光度または偏光率が変わり得、それによって色相が変わり得るからである。
【０１１３】
したがって本発明による場合、照明空間（Ｓ）に白色光の光源手段８が提供される場合、照明空間（Ｓ）には白色光が届き視覚的な妨害はないが、偏光反射物６０ａから反射して見えるのは色相を有するようになり、見る位置によって反射光の色相が変わる照明効果を得るようになる。万一、偏光反射物６０ａにおいてひと目で捉えられる部分が相当に大きな場合、ひと目で捉えられる部分で互いに異なる色相部分として見えるようになる照明効果を得るようになる。
【０１１４】
例えば、図５を参照すると流れる造形物の場合、光源手段では白色光が照らされるが流れる水６６から反射する光は色相を帯びるようになり、それによる独特の美感を得ることができる。
【０１１５】
一方、本発明による場合、光源の光が白色光の場合、どこにも色相を帯びた光源がないにもかかわらず、偏光反射物６０ａから反射する光は色を帯び、また見る人の位置の変化によって反射して見える色相が変化するのである。
【０１１６】
本発明による場合、前記光源手段８は面光源を成して全体面積にわたって均一な光を放出することが好ましい。
【０１１７】
例えば、図１を参照すると、前記光源手段８は、光源３８と前記光源３８の光を受けて放出する導光板４０からなることが好ましい。このような場合、前記光源手段８の光源３８は、ＬＥＤまたは冷陰極蛍光管（ＣＣＦＬ）を用いることが好ましい。
【０１１８】
本発明による場合、前記偏光手段１０は、偏光方向が異なる多数の区域からなり得る。また複屈折媒質２０も複屈折特性が異なる多数の区域からなり得る。
【０１１９】
例えば、図２の（ａ）に見られるように偏光手段１０は三つの区域１１、１２、１３からなり、それらの偏光方向は異なる。この場合、三つの区域１１、１２、１３の偏光方向が相互にすべて異なり得、相互に隣接したもの１１と１２、１２と１３の間で異なり得る。
【０１２０】
また、図２の（ｂ）に見られるように複屈折媒質２０の場合、三つの区域２１、２２、２３からなり、それらの複屈折特性は異なる。この場合、三つの区域２１、２２、２３の複屈折特性が相互にすべて異なり得、相互に隣接したもの２１と２２、２２と２３の間で異なり得る。
【０１２１】
複屈折特性は、光線が複屈折媒質に入射して複屈折する各屈折光の屈折角（媒質での光の速度）、屈折方向または複屈折媒質中で複屈折して進行する距離などのように、複屈折が異なるように成り立つようにする特性を言う。
【０１２２】
複屈折媒質自体に他のものを使用して（例えば、セロハンとＯＰＰのように材質が異なる場合）複屈折特性を異にすることができ、または同一複屈折媒質でもその厚さを異にするかその配置方向を異にして（例えば、横長方向に置く場合と縦長方向に置く場合）、複屈折特性が異なるようにできる。
【０１２３】
複屈折媒質の材質を異にして区域間の複屈折特性を異にすることと係わって、図２（ｂ）の複屈折区域２１、２２の場合、各々が互いに異なる材質の複屈折媒質を用いて（例えば、一つはセロハンフィルム、他の一つはＯＰＰフィルム）それらの間の複屈折特性を異にすることができる。
【０１２４】
複屈折媒質の厚さを異にして複屈折特性を異にすることと係わって、同一複屈折媒質と同一配置方向を有し、その厚さが同一なフィルムの重ねる枚数を異にして複屈折特性が異なるようにできる。
【０１２５】
このように、偏光手段１０または複屈折媒質２０が偏光方向または複屈折特性が異なる区域からなる場合、前記光源手段８から放出されてそれら偏光手段１０及び複屈折媒質２０を順に通過した光は、区域によって各波長別に偏光方向が各々異なるようになる。
【０１２６】
万一、偏光手段１０が偏光方向の異なる多数の区域からなる場合、光源手段８から出発して偏光手段１０を経ながら偏光区域別１１、１２、１３で偏光方向が異なるように偏光した光が、複屈折媒質２０を経ると偏光区域１１、１２、１３ごとに各々波長別の偏光方向が各々異なる光になって照明空間（Ｓ）に放出される。
【０１２７】
万一、複屈折媒質２０が複屈折特性が異なる多数の区域からなる場合、光源手段８から出発して偏光手段１０を経て偏光した光が、複屈折特性によって区域が構成された複屈折媒質２０を経ながら複屈折区域２１、２２、２３ごとに各々波長別に偏光方向が各々異なる光になって照明空間（Ｓ）に放出される。
【０１２８】
このように区域によって波長別に偏光方向の異なった光が前記偏光反射物６０ａを照らして反射が成り立つ場合、区域別に各々波長別の偏光方向が各々異なる光が入射して各々反射するので、各々の区域に対して各々の反射光は互いに異なる色相を現わすことができるようになる。この場合はまた、見る位置によって各々の区域の反射光の色相が各々変わる照明効果を得るようになる。
【０１２９】
一方、本発明による場合、偏光手段１０を偏光方向が異なる多数の区域に形成するのと同時に、複屈折媒質２０を複屈折特性が異なる多数の区域に形成することもできる。
【０１３０】
本発明による場合、このように、偏光手段１０を偏光方向が異なる多数の区域で形成するかまたは複屈折媒質２０を複屈折特性が異なる多数の区域で形成する場合、それら区域が文様や字などの模様を形成するようにすることが好ましい。
【０１３１】
一方、本発明による場合、図６に見られるように、複屈折媒質２０を偏光反射物６０ａの前面に配置することも可能である。例えばガラス材質の偏光反射物６０ａの前面に複屈折フィルムを複屈折媒質２０として付着することができる。
【０１３２】
この場合、図２を参照に説明したのと同様に、偏光手段１０または複屈折媒質２０を偏光方向または複屈折特性が異なる多数の区域からなるようにできる。
【０１３３】
この場合、前記偏光反射物６０ａとその前面に配置された複屈折媒質２０が照明を受ける照明対象物を成すようになり、光源手段８と偏光手段１０が前記偏光反射物６０ａと複屈折媒質２０からなる照明対象物に照明を照射する照明手段になる。
【０１３４】
このような場合、前記照明対象物から反射する光は色相を帯びるようになって、偏光手段１０または複屈折媒質２０が区域を成す場合、その各々の区域別に異なった色相の反射光が得られるようになる。
【０１３５】
図３は、本第１発明の二番目の側面による偏光照明システム２０００ａを示す。
【０１３６】
本第１発明の二番目の側面による偏光照明システム２０００ａの場合、各々色相が異なる光を放出する多数個の光源が提供され、その各々の光源に対して光を偏光させる偏光手段が設置されて、その各々の異なる色相の光源に設置される偏光手段の偏光方向は、全部または一部が互いに異なる。
【０１３７】
その各々色相が互いに異なる光を放出する多数個の光源と、その各々の光源に設置されて相互にその全部または一部の偏光方向が異なった偏光手段は、本第１発明の二番目の側面による照明手段９０’を成す。
【０１３８】
本実施例の場合は、互いに異なる色相の光を放出する多数個の光源としてＲ、Ｇ、ＢのＬＥＤ素子８１、８２、８３が提供され、各々のＲ、Ｇ、ＢのＬＥＤ素子８１、８２、８３には、偏光フィルム８１１、８１２、８１３を付着するが、それら偏光フィルム８１１、８１２、８１３の偏光方向は、互いに全部または一部が異なる。例えば、偏光フィルム８１１、８１２、８１３の偏光方向がすべて異なり得、偏光フィルム８１１、８１２の偏光方向のみが異なり得、または偏光フィルム８１１、８１３の偏光方向のみが異なり得る。
【０１３９】
また、Ｒ、Ｇ、ＢのＬＥＤ素子８１、８２、８３は、隣接して配置され、それらが混合して白色光を成すようにしている。
【０１４０】
したがって、各々のＲ、Ｇ、ＢのＬＥＤ素子８１、８２、８３からＲ、Ｇ、Ｂの各波長別に偏光方向が互いに異なる光が放出され、それらの光は混合して白色光を成している。
【０１４１】
本実施例で、それら偏光フィルム８１１、８１２、８１３が付着したＲ、Ｇ、ＢのＬＥＤ素子８１、８２、８３が、一つの光素８０を成してこのような光素８０が複数個配列されたＬＥＤランプ８００が提供されている。
【０１４２】
それによって、前記ＬＥＤランプ８００からＲ、Ｇ、Ｂの波長別に偏光方向の異なった白色光が個々の光素８０から照明空間（Ｓ）に放出されて照明を成す。
【０１４３】
本第１発明の二番目の側面による場合、前述した本第１発明の一番目の側面による偏光照明システムの偏光反射物６０ａが提供される。
【０１４４】
それによって、前記ＬＥＤランプ８００の個々の光素８０からＲ、Ｇ、Ｂの波長別に偏光方向の異なった白色光が放出され、照明空間（Ｓ）で照明を成して前記偏光反射物６０ａでの反射光は色相を帯びるようになる。
【０１４５】
それは、Ｒ、Ｇ、Ｂの波長別に偏光方向の異なった光が前記偏光反射物６０ａで反射する時、反射による偏光方向と垂直を成す偏光方向を有する波長のものは反射を成すことができず、それ以外の波長のものなどの場合は各々の偏光方向と偏光反射物６０ａで反射する反射光の偏光方向によって全部または一部が反射を成すようになり、前記偏光反射物６０ａで反射した波長による色が混合して色相が現われるのである。
【０１４６】
図４は、本第１発明の二番目の側面による偏光照明システムの他の例２０００ａ’を示す。
【０１４７】
この場合、前記照明手段９０’は多数個の区域からなるが、同一色相の光を放出する光源の偏光手段の偏光方向は、同一区域では同一であるが異なる区域間では異なる。
【０１４８】
図４を参考に、照明手段９０’は区域Ａ、区域Ｂ及び区域Ｃの区域からなり、例えば区域Ａで光素８０の色相別光源の偏光フィルムの偏光方向は同一。しかし、区域Ａと区域Ｂ間で、色相別光源の偏光フィルムの偏光方向は異なる。
【０１４９】
このような場合、区域別に波長別偏光方向の異なった光が放出される。
【０１５０】
図４の場合、区域別に多数個のＬＥＤランプ８００が設置されるが、同一区域で多数個のＬＥＤランプ８００の多数個の光素８０のＲのＬＥＤ素子に対する偏光手段の偏光方向はすべて同一で、Ｇ及びＢのＬＥＤ素子の場合も同様である。
【０１５１】
しかし、互いに異なる区域の間では、光素８０のＲのＬＥＤ素子間の偏光手段の偏光方向は異なり、Ｇ及びＢのＬＥＤ素子の場合も同様である。
【０１５２】
それによって、照明手段９０’からＲ、Ｇ、Ｂの波長別に偏光方向が全部または一部異なる光が放出されるが、それらＲ、Ｇ、Ｂの波長別の偏光方向はまた区域別に異なる。
【０１５３】
それによって、このような光が偏光反射物６０ａで反射する場合、区域別で各々波長別偏光方向の異なった光が入射して反射するので、反射光は区域に対応して異なる色相を現わすようになる。
【０１５４】
このように、本第１発明による場合、偏光した光を放出して偏光反射物で色相を有する光が反射して出る偏光照明システムを提供する。
【０１５５】
本第１発明による場合、照明手段から放出される光は白色光などであるので、視覚的な妨害を起こさずに偏光反射物の反射光が色相を帯びるようになり、偏光手段または複屈折媒質を偏光方向または複屈折特性が異なる多数の区域に形成して、偏光反射物の区域別に異なる色相の反射光が出るようにできる。
【０１５６】
一方、本第１発明による場合、見る人の目の位置によって反射光の色相が変わり得る。
【０１５７】
また、本第１発明は、互いに異なる色相の光を放出する光源手段を提供してそれら光源手段各々に対して偏光手段を設置して、互いに異なる色相の光源手段に付着した偏光手段の偏光方向は全部または一部が互いに方向を異にして、色相別の波長によって偏光方向が異なる光を放出してこのような光が偏光反射物から反射して色相を有する光が反射するようにできる。
【０１５８】
この場合、光源手段は区域を形成して、区域が異なれば同一色相の光源手段の偏光手段の偏光方向も異にすることができ、このような場合、区域別に偏光反射物で反射する光の色相を異にすることができる。
【０１５９】
次、図７〜図１３は、本件特許出願の第２発明による偏光照明システムを示す。
【０１６０】
本第２発明も第１発明の効果が発揮されるガラス、アクリル、クリスタル、プラスチック材質からなるもの、または液体の表面のように入射した光を反射しながら反射した光は全部または一部が偏光を成す偏光反射物を対象に、前記偏光反射物で反射する反射光の色相が変わる照明を演出する。
【０１６１】
図７は、本第２発明の一番目の側面による偏光照明システム１０００ｂを示す。
【０１６２】
まず、偏光反射物６０ｂが提供され、本実施例の場合はガラスコップが提供されている。また偏光した光が照射される偏光光源１００が提供され、前記偏光光源１００は前記偏光対象物８０を照射する。
【０１６３】
前記偏光光源１００は、例えば、光源に偏光フィルム、偏光板または偏光フィルターのような偏光手段を付着して、前記光源からの光が前記偏光フィルム、偏光板または偏光フィルター等の偏光手段を通過しながら偏光して照射するものが提供され得る。
【０１６４】
本第２発明による場合、前記偏光光源１００と前記偏光反射物６０ｂの間には、複屈折媒質２００が置かれる。
【０１６５】
前記複屈折媒質２００は、前記偏光光源１００と前記偏光反射物６０ｂの間で多様な位置に置くことができるが、前記偏光光源１００と前記偏光反射物６０ｂ各々から独立しそれらの間に置くこともでき、フィルム形態のものを使用して前記偏光光源１００に付着することもでき、または前記偏光対象物６０ｂの表面に付着することもできる。
【０１６６】
本第２発明による場合、前記偏光光源１００から照射される光の偏光方向と、前記複屈折媒質２００と前記偏光反射物６０ｂは相互に相対的に回転を成すが、このような相対的回転は下記の６種類の場合を含む。
【０１６７】
第一、前記偏光光源１００から照射される光の偏光方向と前記複屈折媒質２００が相互間で相対的に回転を成して、前記偏光反射物６０ｂが静止している場合である。
【０１６８】
この場合は、前記偏光光源１００から照射される光の偏光方向が変化しないで前記複屈折媒質２００が回転するか、または前記偏光光源１００の光の偏光方向が回転して前記複屈折媒質２００が静止した場合、または前記偏光光源１００の光の偏光方向が回転して前記複屈折媒質２００も回転するが、両者間の回転速度が異なる場合を含む。
【０１６９】
第二、前記偏光光源１００が静止して前記複屈折媒質２００と前記偏光反射物６０ｂが相互間で相対的に回転を成す場合である。
【０１７０】
この場合も前記複屈折媒質２００と前記偏光反射物６０ｂ中の一方が静止して他方が回転する場合、そして両者が回転するがその回転速度が異なる場合を含む。
【０１７１】
第三、前記複屈折媒質２００が静止して前記偏光光源１００から照射される光の偏光方向と前記偏光反射物６０ｂが相互間で相対的に回転を成す場合である。
【０１７２】
この場合も前記偏光光源１００から照射される光の偏光方向が変化しないで前記偏光反射物６０ｂが回転するか、または前記偏光光源１００の光の偏光方向が回転して前記偏光反射物６０ｂが静止した場合、または前記偏光光源１００の光の偏光方向が回転して前記偏光反射物６０ｂも回転するが両者間の回転速度が異なる場合を含む。
【０１７３】
第四、前記偏光光源１００と前記複屈折媒質２００と前記偏光反射物６０ｂがすべて回転を成し、それらの間の回転速度に差を有する場合である。
【０１７４】
五番目、前記偏光光源１００の偏光方向と前記複屈折媒質２００が一体としてまたは等速で回転を成し、前記偏光反射物６０ｂは静止した場合である。
【０１７５】
六番目、前記偏光光源１００は静止し、前記複屈折媒質２００と前記偏光反射物６０ｂが一体としてまたは等速で回転を成す場合である。
【０１７６】
図７は、偏光光源１００から出力される光の偏光方向が回転によって変化を成していて、複屈折媒質２００と偏光反射物６０ｂは静止した場合を示している。
【０１７７】
本第２発明による場合、前述した回転は一部角度の回転または角度の変化を含む。例えば、３０度、６０度、９０度または１８０度などの一部角度の回転を成すか、その程度角度が変化する場合を含む。
【０１７８】
このような本第２発明による場合、まず偏光光源１００から偏光して照射された光が、前記複屈折媒質２００を通過しながら複屈折を成しながら波長によって各々偏光方向が異なるようになり、前記偏光反射物６０ｂには波長によって各々異なった偏光方向を有する光が進入するようになる。
【０１７９】
波長別に各々偏光方向の異なった光が前記偏光反射物６０ｂで反射する時、反射による偏光方向と垂直を成す偏光方向を有する波長のものは反射を成すことができずに、それ以外の波長のものの場合は各々の偏光方向と偏光反射物６０ｂで反射する反射光の偏光方向によって全部または一部が反射を成すようになり、前記偏光反射物６０ｂで反射した波長による色が混合して色相が現われるようになる。
【０１８０】
ところが、本第２発明による場合、前記偏光光源１００と前記複屈折媒質２００と前記偏光反射物６０ｂは相互間で相対的に回転をするものであるので、前記偏光反射物６０ｂを基準にする時、前記偏光反射物６０ｂに引入される光は各々の波長による偏光方向が変化をする。
【０１８１】
例えば、図７に示す実施例の場合、偏光光源１００から照射される光の偏光方向の回転があり、その回転によって偏光方向が変化する光が前記複屈折媒質２００を通過しながら各波長別に偏光方向が変わるものであって、前記偏光反射物６０ｂに進入する光は偏光光源１００から出る光の偏光方向の回転によって各波長別に異なった偏光方向が各々回転するようになるもので、偏光反射物６０ｂで反射を成す波長のものと反射を成すことができない波長が変わるようになり、それによって前記偏光反射物６０ｂには偏光光源１００の出力光の偏光方向の回転によって反射して見える色相が変化する姿で現われる。
【０１８２】
前記複屈折媒質２００が回転を成す場合も同様で、偏光光源１００から照射された偏光した光が前記回転する複屈折媒質２００を通過するようになると、各波長別に偏光方向の変化があるようになり、複屈折媒質２００の回転によって各波長別の偏光方向が各々回転するようになって前記偏光反射物６０ｂには色相が変化する姿で現われるようになる。
【０１８３】
図８は、前述した偏光方向が回転を成す光が出力される偏光光源１００の一例を示す。
【０１８４】
前記偏光光源１００は、偏光光源部７０と前記偏光光源部７０を回転させる駆動部４０を含んで構成される。
【０１８５】
前記偏光光源部７０は、筐体部７１が提供されて前記筐体部７１の内部に光源７８が設置され、前記光源７８の前面に偏光フィルター７４が結合される。それによって前記光源７８からの光は、前記偏光フィルター７４を通過しながら偏光する。
【０１８６】
前記駆動部４０は、モーター４４を含んで前記モーター４４の作動を制御する制御部４６と前記モーター４４の動作を操作する操作部４８を含んで成り得る。
【０１８７】
前記モーター４４は、前記筐体部７１と結合され、モーター４４の動力伝達によって前記筐体部７１は回転し、前記偏光光源部７０から照射される光の偏光方向は回転を成す。
【０１８８】
他の例としては、筐体部８１は固定され、前記モーター４４が前記偏光フィルター７４を回転させて光源７８から照射されて偏光フィルター７４を通過しながら偏光される光の偏光方向が回転を成すようにできる。
【０１８９】
図示していないが、前記モーター４４と前記筐体部７１の間には減速ギアまたは油性ギアなど前記制御部４６の制御によって前記筐体部７１の回転を制御するための装置を設置することができる。
【０１９０】
本第２発明による場合、前記偏光光源部７０は必ずしもモーターによって駆動されるのではなく、他の手段によって駆動することができ、手動で駆動させることもできる。
【０１９１】
このような偏光光源１００は、前記偏光反射物６０ｂを照らすように設置され、多数個が設置され得る。
【０１９２】
図９は、本第２発明による偏光照明システムの他の例２０００ｂで、この場合、偏光光源部７０の前面にフィルム形態の複屈折媒質２００を付着し、モーター４４を制御して前記複屈折媒質２００を回転する構造を示している。
【０１９３】
光源７８の光が偏光フィルター７４を通過して偏光した後、回転するフィルム形態の透明の複屈折媒質２００を通過するようになり、波長によって偏光方向の変わる光が偏光反射物６０ｂに照射されている。
【０１９４】
他の場合、図８を参照して、偏光フィルター７４の前面にフィルム形態の複屈折媒質２００を付着して前記偏光光源１００と複屈折媒質２００が一体として一緒に回転するようにできる。（未図示）
【０１９５】
一方、前記複屈折媒質２００の回転は、手動でも当然可能である。
【０１９６】
図８または図９の例の場合、モーター４４の回転速度を多様に制御することができるので、それによって色相変化の速度を多様に演出することができるようになる。
【０１９７】
また、このような相対的回転は、様々な動きを現すことができ、例えば、往復することができる。往復運動の例は、偏光光源１００から照射される光の偏光方向が０度から１８０度の間を往復するのと同じである。
【０１９８】
それは、図８または図９の例を参照する場合、モーター４４の出力軸が回転角０度から１８０度の間で制御することによって成し得る。
【０１９９】
他の場合、前記偏光光源１００から照射される光の偏光方向と前記複屈折媒質２００が成す相対的回転は、その回転方向が多様に変更され、その回転角も多様に変更することができる。図８または図９の例の場合、モーター４４の出力軸の回転方向とその回転角が多様に変化するように制御することによって成し得る。
【０２００】
本第２発明による場合、液晶素子を用いて偏光方向の変化を起こすことができる。図１０は、このような液晶素子４００の例を示す。
【０２０１】
前記偏光方向の変化を起こす液晶素子４００は、ガラス基板４１０と４１０の間にスペーサー（未図示）を介在させて空間を確保して液晶４９０を充填してシーラント４３０によって密封される。前記ガラス基板４１０、４１０の下部には透明電極４６０と液晶配向層４７０が順次に積層される。
【０２０２】
前記透明電極４６０、４６０に電圧が印加されると前記液晶４９０はその配列を変化させて、それによって前記ガラス基板４１０、４１０に偏光した光を入射させると前記液晶を通過しながら光の偏光方向が変わるようになる。実質的にこのような構造は、ＬＣＤパネルで偏光板が除去された構造である。
【０２０３】
図１１は、図１０の液晶素子４００を用いて波長によって多様な偏光方向を有し、その偏光方向が回転する光を出力する波長別偏光方向変化光の出力装置５００の一例を示す。
【０２０４】
ケース部材９００に光源７８が設置されてその前方に偏光フィルムまたは偏光フィルターのような偏光手段７４が設置され、その前方に偏光方向の回転を起こす液晶素子４００が設置されてその前方に複屈折フィルム２００が設置される。
【０２０５】
このような構造によって、前記光源７８から照射される光が前記偏光手段７４を通過しながら偏光して、以後前記液晶素子４００を通過しながら偏光方向が回転しながら前記複屈折フィルム２００を通過するようになる。それによって、波長によって各々異なった偏光方向を有しながらその各波長別に偏光方向が変化する光が出力される。
【０２０６】
図１２は、本第２発明の三番目の側面による偏光照明システム３０００ｂを示す。
【０２０７】
本三番目の側面による場合、赤色（Ｒ）、緑色（Ｇ）及び青（Ｂ）の三種類の色であって偏光した光が各々出力される三つの偏光光源１０１、１０２、１０３が提供され、それら三つの偏光光源１０１、１０２、１０３の光が混合して白色光を成して偏光反射物６０ｂを照射し、それら三つの偏光光源１０１、１０２、１０３の三つの中でいずれか一つ、ふたつまたは三つ全部の偏光方向と前記偏光反射物６０ｂは、相互に相対的回転を成す。
【０２０８】
図１２の三つの偏光光源１０１、１０２、１０３は、各々が図８の偏光光源の構造を有し、各々のものの光源７８は、Ｒ、Ｇ、Ｂを放出するものを用いることができる。
【０２０９】
例えば、赤色（Ｒ）の偏光光源１０１は、図８の偏光光源１００の構造に対してその光源７８に赤色のＬＥＤを使用することができる。それによって、その偏光方向が回転する赤色（Ｒ）波長の偏光が、出力される。
【０２１０】
このような場合、前記偏光反射物６０ｂではＲ、Ｇ、Ｂの色相が混合して白色光であるが、内部的にＲ、Ｇ、Ｂの波長を有していて各々はその偏光方向が回転するものが引入される。
【０２１１】
それによって前記偏光反射物６０ｂから反射による偏光の偏光方向によって前記Ｒ、Ｇ、Ｂ波長のものの中で反射がなされるものがありなされないものがあり、反射したものなどの混合によって色が見えるようになるが、Ｒ、Ｇ、Ｂ波長の偏光方向が変化しているのでこのような色の演出も変化を成すようになる。
【０２１２】
図１３は、図４の液晶素子４００を用いてＲ、Ｇ、Ｂの波長によって異なった偏光方向を有し、その偏光方向が回転する光を出力するＲ、Ｇ、Ｂ波長別偏光方向変化光の出力装置５００’の一例を示す。
【０２１３】
赤色波長の光であってその偏光方向が回転する赤色の偏光回転光出力装置１０１’は、赤色波長の光を放出する光源７８Ｒが提供されてその前方に偏光フィルムや偏光フィルターのような偏光手段７４が設置されてその前方に前述した液晶素子４００が設置される。
【０２１４】
緑色波長の光であってその偏光方向が回転する緑色の偏光回転光出力装置１０２’は、緑色波長の光を放出する光源７８Ｇが提供されてその前方に偏光フィルムや偏光フィルターのような偏光手段７４が設置されてその前方に前述した液晶素子４００が設置される。
【０２１５】
青色波長の光であってその偏光方向が回転する青の偏光回転光出力装置１０３’は、青色波長の光を放出する光源７８Ｂが提供されてその前方に偏光フィルムや偏光フィルターのような偏光手段７４が設置されてその前方に前述した液晶素子４００が設置される。
【０２１６】
このようなＲ、Ｇ、Ｂの偏光回転及び出力装置１０１’、１０２’、１０３’を図１３の（ａ）のように集めて、その各々の波長の光が混合して白色光を成すようにする。
【０２１７】
このように本第２発明は、偏光現象を用いて光が照射される偏光反射物で色相が変化したように見える独特のディスプレイを成す偏光照明システムを提供している。
【０２１８】
本第２発明による場合、前記偏光光源から前記偏光反射物に照射される光は、その強さが減少することはするが視覚的に妨害を起こすものではない。
【０２１９】
したがって、本第２発明による偏光照明システムが設置された場合、人々は視覚的妨害を起こさなくなり、日常的に生活できるようになる。すなわち本第２発明は、光源から照射される光が人の視覚を妨害することなしに前記光が照射される偏光反射物が色相の変化を起こす偏光照明システムを提供するものである。
【０２２０】
一方で、本第２発明による偏光照明システムまたは偏光照明装置で、前記偏光光源１００と複屈折媒質２００及び偏光反射物６０ｂいずれも回転を成さないで停止していても、偏光反射物６０ｂの反射光は色相を帯びるようになる。それは本質的に第１発明の範疇に属するものの、実施例的には第１発明と第２発明の両方に属する。このような例は、前述した実施例の中でモーター４４または液晶４００を駆動させないで光源７８から偏光した光が複屈折媒質２００を通過して停止したガラスコップのような偏光反射物６０ｂに照射される場合である。
【０２２１】
図１４〜図２３は、本件特許出願の第３発明による偏光照明システムを示す。
【０２２２】
本件特許出願の第３発明は、ミラーボールのように反射部材を有する反射対象物に対して反射光の色相が変化したように見える偏光反射照明システムを提供する。
【０２２３】
まず、図１４は本第３発明によるミラーボール照明システム１０００ｃを示し、前記ミラーボール照明システム１０００ｃにはミラーボール６００が提供される。
【０２２４】
前記ミラーボール６００の表面には、多数個の鏡のような反射部材６１が球の表面を覆うように相互に隣接して付着しているが、本発明による場合それら反射部材６１の上面には透過する光を偏光させる偏光手段６７を付着する。
【０２２５】
前記偏光手段６７としては、偏光フィルター、偏光フィルム、偏光板などが挙げられるが、本実施例の場合は偏光フィルムを使用している。
【０２２６】
前記多数個の反射部材６１の上面に付着する偏光フィルム６７は、各々の反射部材６１ごとに付着しているが、必ずしもその必要があるのではない。
【０２２７】
また、それら偏光フィルム６７の偏光方向は、隣接した他の偏光フィルム６７の偏光方向とは異なることが好ましい。例えば、偏光フィルム６７ａの偏光方向と前記偏光フィルム６７ａと隣接した偏光フィルム６７ｂ、６７ｃ、６７ｄ、６７ｅの偏光方向は異なる。このような場合、後述するように隣接した反射部材ごとに異なる色相の光が反射する。
【０２２８】
本第３発明による場合、前記ミラーボール照明システム１０００ｃは、偏光光源７０を有するが、前記偏光光源７０は偏光した光を放出するものである。（図１５参照）
【０２２９】
例えば、光源７８に偏光フィルム、偏光板または偏光フィルターのような偏光手段７４が付着し、前記光源７８からの光が前記偏光フィルム、偏光板または偏光フィルターなどの偏光手段７４を通過しながら偏光して照射されるものが偏光光源として提供され得る。
【０２３０】
また、本発明による場合、複屈折媒質２００が提供されるが、前記複屈折媒質は前記偏光光源７０と前記ミラーボール表面の偏光フィルム６７の間に置かれ、それによって前記偏光光源７０から偏光して放出される光は、前記複屈折媒質２００を通過した後、前記ミラーボール６００の偏光フィルム６７に照射される。
【０２３１】
前記複屈折媒質２００は、前記偏光光源と前記偏光手段６７の間で多様な位置に置くことができ、偏光光源７０と前記偏光手段６７から各々独立してそれらの間に置くこともでき、フィルム形態のものを用いて偏光光源７０の偏光手段７４に付着することもでき、前記ミラーボール６００の前記偏光手段６７の上面に付着することもできる。
【０２３２】
本実施例では、図１５に見られように、光源７８の前方に偏光板または偏光フィルムのような偏光手段７４を設置して、その前方に複屈折板または複屈折フィルムのような複屈折媒質２００を設置している。
【０２３３】
フィルム形態の複屈折媒質は、複屈折性を有するＯＰＰフィルム、ＰＥＴフィルムなど延伸されたプラスチックフィルムやセロハンフィルム、プラスチック板などを用いることができ、また複屈折のために特別に製造された複屈折フィルムを用いることができる。複屈折媒質として、複屈折板、複屈折レンズなどを利用できることはもちろんである。
【０２３４】
本発明による場合、前記偏光光源７０から放出される光の偏光方向と、前記複屈折媒質２００の一点の位置と、前記ミラーボール６００に付着した個々の偏光フィルム６７の偏光方向は、相互に相対的に変化を成す。このような相対的な変化は、下記の場合を含むことができる。ここで、複屈折媒質の一点の位置の変化は、複屈折媒質上の任意の一点の位置が変化することを言うが、複屈折媒質が自転を成す場合、自転軸上の点は位置が変わらないが他の所の任意の点は、位置が変化するものでこのような場合を含む。
【０２３５】
第一、前記偏光光源７０から照射される光の偏光方向と前記複屈折媒質２００が相互に回転して、前記ミラーボール６００が静止した場合である。
【０２３６】
この場合は、前記偏光光源と前記複屈折媒質の中で一方が静止して他方が回転する場合、そして両者が回転するがその回転速度が異なる場合を含む。
【０２３７】
第二、前記偏光光源７０が静止して前記複屈折媒質の一点と前記ミラーボール６００に設置された偏光手段６７の偏光方向が、相互に変位を成す場合である。例えば、複屈折媒質２００が回転を成す場合、または前記複屈折媒質２００とミラーボール６００が相対的に異なる速度で回転する場合などがあり得る。
【０２３８】
第三、前記複屈折媒質が静止して前記偏光光源から照射される光の偏光方向と前記ミラーボール６００に設置された個々の偏光手段６７の偏光方向が、相互に変化する場合である。この場合も、前記偏光光源７０とミラーボール６００のいずれか一方が静止して他方が回転する場合などがあり得る。
【０２３９】
第四、前記偏光光源７０と前記複屈折媒質と前記ミラーボール６００が、すべて変位を起こす場合である。
【０２４０】
五番目、前記偏光光源と複屈折媒質が一緒に変位を成して、前記ミラーボール６００は静止した場合である。
【０２４１】
六番目、前記偏光光源は静止して、前記複屈折媒質と前記ミラーボール６００が一緒に変位を成す場合である。例えば、偏光光源は静止して前記ミラーボール６００の偏光手段６７の表面に複屈折フィルムが付着しているが、このようなミラーボール６００が回転する場合である。
【０２４２】
五番目と六番目で、一緒に変位を成す場合は一体として変位する場合と等速で同一経路に沿って変位を起こす場合を含む。
【０２４３】
本発明による場合、前述した回転は一部角度の回転を含む。例えば、３０度、６０度、９０度または１８０度など、角度が変化する場合を含む。
【０２４４】
図１４の実施例の場合、偏光複屈折光源１００ａが提供されて偏光光源７０と複屈折媒質２００は一体として一緒に回転していて、前記ミラーボール６００は静止しているかまたは回転し得る。
【０２４５】
図１４の実施例の場合、偏光複屈折光源１００ａが提供されているが、図１５は前記偏光複屈折光源１００ａの構造を示す。
【０２４６】
前記偏光複屈折光源１００ａは、まず筐体部７１を有する。前記筐体部７１の内部には光源７８が設置されてその前方に偏光フィルターまたは偏光フィルムのような偏光手段７４が設置される。それによって前記光源７８の光は前記偏光手段７４を通過しながら偏光して、前記光源７８と偏光手段７４は偏光した光を放出する偏光光源７０を成す。
【０２４７】
前記筐体部７１で前記偏光手段７４の前方には複屈折板のような複屈折媒質２００が設置される。したがって、前記光源７８から照射されて前記偏光手段７４を経て偏光した光は、前記複屈折媒質２００を通過しながら複屈折を成してその波長によって各々偏光方向の変化した光が前記偏光複屈折光源１００ａから放出される。
【０２４８】
本実施例による場合、モーター４４が提供されて前記筐体部７１を回転させ、それによって筐体部７１に一体に設置された偏光光源７０と複屈折媒質２００は一体として一緒に回転する。
【０２４９】
前記モーター４４は、制御部４６と連結されて前記制御部４６は操作部４８の命令を受ける。それによってモーター４４の動作は、前記操作部４８の操作によって成り立つようになる。
【０２５０】
図示しなかったが、前記モーター４４が前記複屈折媒質２００のみを回転させるように機械的構造を設計することもできるはずであり、このような場合には偏光光源７０は静止して前記複屈折媒質２００の一点が変位を起こすようになる。
【０２５１】
本発明による場合、動力源として必ずしもモーターが提供される必要がなく、多様な手段のものを提供することができ、手動を排除するものではない。
【０２５２】
一方、ステップモータなどを活用することで、前記偏光光源の偏光方向の回転を一部角度の回転のみを成すことができ、本発明はこのような場合を回転として含む。
【０２５３】
このような偏光複屈折光源１００ａは、前述したミラーボール６００に向けて光を照射する。
【０２５４】
本発明による場合、偏光複屈折光源１００ａは多数個が提供され、各々が前記ミラーボール６００に向けて照射することができる。
【０２５５】
このような本第３発明による場合、偏光光源７０から放出される偏光した光は、複屈折媒質２００を経ながら複屈折して波長の長さよって偏光方向が少しずつ異なる光になって、前記ミラーボール６００に設置された偏光フィルム６７を照射するようになる。
【０２５６】
ここで、前記偏光複屈折光源１００ａから放出される光の偏光方向は回転を成していて、各波長別に変化した各偏光方向がまた各々回転を成している状態で、前記ミラーボール６００に設置された偏光フィルム６７を照射するようになる。
【０２５７】
このような場合、前記ミラーボール６００に照射される光は、設置された偏光フィルム６７を通過した後、反射して出ながら特定の色相を帯びるようになって、一方で前記偏光複屈折光源１００ａから放出される光の偏光方向の回転によってその現われる色相が変化を現すようになる。
【０２５８】
それは、偏光した光が複屈折して波長ごとに偏光方向が異なるものが、前記ミラーボール６００の偏光フィルム６７に入射すると、前記偏光フィルム６７の偏光方向と垂直を成すものは通過できなくてそうではないものは偏光角度によって全部または一部通過を成しながら、通過した波長の光の混合によって特定の色相を帯びるようなるが、ここで、前記光源から放出される光の偏光方向が回転することによって前記偏光フィルム６７に入射する光の波長ごとの偏光方向は再び変化を起こすため前記偏光フィルム６７を通過することができる波長とその通過比率が変化して、それによって、前記反射部材６１で反射する光の色相が変化を起こすようになるのである。
【０２５９】
前記多数個の偏光フィルム６７の間で偏光方向を異なるようにする場合、偏光方向が異なった偏光フィルムごとに色相は異なるように現われるはずで、万一多数個の偏光フィルム６７の偏光方向を隣接した順番にしたがって順次に変化を与える場合、色相の順次変化も期待することができる。
【０２６０】
このような現象は、前記偏光光源から放出される光の偏光方向と、前記複屈折媒質の一点の位置と、前記ミラーボール６００に設置された偏光手段の偏光方向が相互に変化を起こす場合すべてで発生するようになる。
【０２６１】
例えば、偏光光源から放出される光の偏光方向と前記ミラーボールに設置された偏光手段の偏光方向は変化なしに、複屈折媒質２００のみが回転をして屈折方向が変化する場合にも発生する。
【０２６２】
本第３発明による場合、液晶素子を用いて偏光方向の変化を起こすことができる。
【０２６３】
図１６は、このような液晶素子４００の例を示し、前記偏光方向の変化を起こす液晶素子４００は、ガラス基板４１０、４１０の間にスペーサー（未図示）を介在させて空間を確保して液晶４９０を充填してシーラント４３０によって密封される。前記ガラス基板４１０４１０の下部には、透明電極４６０と液晶配向層４７０が順に積層される。
【０２６４】
前記透明電極４６０、４６０に電圧が印加されると、印加される電圧の強さによって前記液晶４９０はその配列を変化し、それによって前記ガラス基板４１０、４１０に偏光した光を入射させると、前記液晶を通過しながら光の偏光方向が変わるようになる。実質的にこのような構造は、ＬＣＤパネルから偏光板が除去された構造である。
【０２６５】
図１７は、図１６の液晶素子４００を用いた偏光複屈折光源１００ｂの一例を示す。
【０２６６】
ケース部材９００に光源７８が設置されて、その前方に偏光フィルムまたは偏光フィルターのような偏光手段７４が設置され、その前方に偏光方向の回転を起こす液晶素子４００が設置されて、その前方に複屈折フィルム２００が設置される。
【０２６７】
このような構造によって、前記光源７８から照射される光が前記偏光手段７４を通過しながら偏光して、その後前記液晶素子４００を通過しながら偏光方向が回転しながら前記複屈折フィルム２００を通過するようになる。それによって、波長によって各々異なった偏光方向を有しながら液晶素子４００に印加される電圧の強さを変化させることによって、その各波長別に偏光方向の変化した光が出力される。
【０２６８】
図１８は、本第３発明の二番目の側面によるミラーボール照明システム２０００ｃを示す。
【０２６９】
本第３発明の二番目の側面による場合、偏光複屈折光源１００ａの代わりに複数個の偏光光源１００Ｒ、１００Ｇ、１００Ｂが提供されるが、前記複数個の偏光光源１００Ｒ、１００Ｇ、１００Ｂは、各々が偏光した光を放出するもので、放出する光の色が異なるものである。
【０２７０】
それら偏光光源１００Ｒ、１００Ｇ、１００Ｂは、各々赤色（Ｒ）、緑色（Ｇ）及び青色（Ｂ）の光を放出し、それらは混合して白色光を形成することが好ましい。
【０２７１】
また、本第３発明の二番目の側面による場合、前記偏光光源１００Ｒ、１００Ｇ、１００Ｂから放出される光の偏光方向と、ミラーボール６００に付着した個々の偏光フィルム６７の偏光方向は、相互に相対的に変化を成す。
【０２７２】
本実施例の場合は、図１９に見られるように、筐体部７１の内部に赤色の光が出力される光源７８Ｒが設置されてその前方に偏光手段７４が設置され、前記筐体部７１をモーター４４を制御して回転させて、赤色（Ｒ）の光としてその偏光方向が回転する偏光光源１００Ｒを構成していて、偏光光源１００Ｇ及び偏光光源１００Ｂも同様に構成することができる。この場合、前記ミラーボール６００は停止していることもできるが、回転を成しても良い。
【０２７３】
この場合、赤色（Ｒ）、緑色（Ｇ）、青色（Ｂ）の波長ごとに偏光方向の異なった光が前記ミラーボール６００の偏光手段である偏光フィルム６７に入射すると、前記偏光フィルム６７の偏光方向と垂直を成すものは通過できなくてそうではないものは偏光角度によって全部または一部が通過を成しながら通過した波長光の混合によって特定の色相を帯びるようになるが、ここで、前記偏光フィルム６７に入射する赤色（Ｒ）、緑色（Ｇ）、青色（Ｂ）の波長ごとの偏光方向は再び変化を起こすため、前記偏光フィルム６７を通過することができる波長とその通過比率が変化するようになり、それによって、前記反射部材６１で反射する光の色相が変化を起こすようになるのである。偏光方向が異なった偏光フィルム６７の間では、互いに異なる色が変化を起こすようになる。
【０２７４】
図２０は、図１６の液晶素子４００を用いてＲ、Ｇ、Ｂの波長によって異なった偏光方向を有し、その偏光方向が回転する光を出力するＲ、Ｇ、Ｂ別の偏光光源１００ｃを示す。
【０２７５】
前記Ｒ、Ｇ、Ｂ別の偏光光源１００ｃは、赤色波長の光を放出する偏光光源１０１と緑色波長の光を放出する偏光光源１０２と青色波長の光を放出する偏光光源１０３を含み、それらは各々赤色、緑色及び青色の光源を放出する光源６０Ｒ、６０Ｇ、６０Ｂを有していて、それら光源６０Ｒ、６０Ｇ、６０Ｂの前方に偏光手段７０、７０、７０が設置され、さらにその前方に前述した液晶素子４００、４００、４００が設置される。
【０２７６】
それによって、Ｒ、Ｇ、Ｂの波長のものが各々出力されながら、各々のものの偏光方向が変化する光が出力されるが、それらＲ、Ｇ、Ｂの混合によって全体としては白色光が出力されるようにすることが好ましい。
【０２７７】
前述したＲ、Ｇ、Ｂ別の偏光光源１００ｃは、単独または多数個を提供することができる。
【０２７８】
本発明による場合、前記モーター４４の回転速度を多様に制御してミラーボール６００で反射する光の色相変化の速度を多様に演出することができる。また、モーター４４の制御を通じて筐体部７１の回転方向や回転角を多様に制御して、前記ミラーボール６００で反射する光の色の演出を多様に調節することができる。
【０２７９】
本第３発明は、ミラーボールを反射対象物にして説明したがこれに限定されるのではなく、鏡のような反射部材が設置されたすべての反射対象物に適用することができる。
【０２８０】
例えば、前述した実施例でミラーボール６００の代わりに、鏡のような反射部材の上面に偏光フィルムのような偏光手段を付着して構成された反射対象物を提供する場合、前記偏光フィルムで色相が変化を成す反射光を得ることができる。この場合、反射部材は多数個提供することもでき（例えば、ベース部材に多数個の鏡が付着した形態）、ベース部材全体に一つの鏡が付着したもののように全体として一つ提供することもできる。
【０２８１】
このような場合、前記反射部材には多数個の偏光手段が隣接したり離れて設置したりすることができ、それら偏光手段の偏光方向は一部または全部が異なり得るが、偏光方向が異なった偏光手段ごとに異なる色相が互いに異なって変化する反射光が演出される。
【０２８２】
例えば、図２１は、図１４のミラーボール６００の代わりに平面の反射対象物６０００が設置された偏光反射照明システム３０００ｃを示す。
【０２８３】
前記平面の反射対象物６０００は、ベース部材５の前面に鏡のような反射部材６１０が設置され、前記反射部材６１０に偏光手段として４枚の偏光フィルム６７１、６７２、６７３、６７４が付着していて、それら偏光フィルム６７１、６７２、６７３、６７４の偏光方向は互いに異なる。
【０２８４】
このような反射対象物６０００に、偏光複屈折光源１００ａから波長別に偏光方向が異なる光で、さらにその各偏光方向が回転を成す光が照射されて、前記反射対象物８０００の偏光フィルム６７１、６７２、６７３、６７４ごとに色相が各々異なるように順次に変化する反射光を得ることができる。
【０２８５】
図２２は、本第３発明のまた他の側面による偏光反射照明システム４０００ｃを示す。
【０２８６】
この場合、反射対象物６０００’は、ベース部材５を有しその前面に鏡のような反射部材６１０が設置される。前記反射部材６１０の前面には偏光フィルムのような偏光手段６７０が設置されるが、本実施例では前記偏光手段６７０が一つ設置されているが、多数個を設置してそれらの偏光方向が一部または全部が異なることもできる。
【０２８７】
前記偏光手段６７０の前面には複屈折媒質が設置されるが、前記複屈折媒質は複屈折特性が異なる多数の区域２２１、２２２、２２３、２２４に分けられる。
【０２８８】
複屈折特性は、複屈折媒質自体が異なるものを用いたり、または同一複屈折媒質でもその厚さを異にするか、その配置方向を異にして（例えば、横長方向に置く場合と縦長方向に置く場合）、複屈折特性が異なるようにできる。
【０２８９】
複屈折媒質の材質を異にして区域間の複屈折特性を異にすることと係わって、図を参照して各々の区域２２１、２２２、２２３、２２４の複屈折媒質の材質を異にしてそれらの複屈折特性が異なるようにできる。（例えば、一つはセロハンフィルム、他の一つはＯＰＰフィルムなど）
【０２９０】
区域ごとに複屈折媒質の厚さを異にして区域間の複屈折特性を異にすることと係わって、厚さが同一のフィルムをその重ねる枚数を異にして複屈折特性が異なるようにできる。
【０２９１】
図２２の複屈折区域２２１、２２２、２２３、２２４の場合、個々の区域ごとに重ねる枚数を異にすることができる。
【０２９２】
また、同一複屈折媒質でも配置方向を異にして互いに異なる複屈折特性を有するようにできるが、前記区域２２１、２２２、２２３、２２４で同一複屈折フィルムから切り取ってもその配置方向が互いに異なる場合、異なる複屈折特性を有するようになる。（例えば、一つは横長方向に付着、もう一つは縦長方向に付着する場合など）
【０２９３】
このような反射対象物６０００’には、偏光した光が放出される偏光光源７０から偏光した光が照射される。また本発明による場合、前記偏光光源７０から放出される光の偏光方向と前記反射対象物６０００’の複屈折媒質２２１、２２２、２２３、２２４の一点の位置を相互に変化させる変位手段が提供されるが、本実施例で前記偏光光源７０はモーターの動力を受けて回転を成し、それによって前記変位手段はモーターを含んで構成される。
【０２９４】
このような偏光反射照明システム４０００ｃの場合、偏光光源７０から偏光された光が前記複屈折特性が異なる区域２２１、２２２、２２３、２２４を照射するようになるが、各々の区域ごとに複屈折特性が異なることによって、区域ごとに区域を通過した光の波長別の偏光方向は異なるようになる。
【０２９５】
区域ごとに波長別偏光方向が異なるものが前記偏光手段６７０に入射して、前記偏光手段６７０の偏光方向と垂直を成すものは通過できず、そうではないものは偏光角度によって全部または一部が通過を成しながら通過した波長の光の混合によって、区域ごとに特定の色相を帯びるようになる。
【０２９６】
ここで、前記偏光光源７０から放出される光の偏光方向が回転することによって、前記偏光手段６７０に入射する光の波長ごとに偏光方向は再び変化を起こすので、前記偏光手段６７０を通過することができる波長とその通過比率が変化して、それによって、前記反射部材６１０で反射する光の色相が複屈折区域２２１、２２２、２２３、２２４ごとに変化を起こすようになるのである。
【０２９７】
図２３は、図２２の実施例に対してその反射対象物がミラーボール６００’の場合を示す。
【０２９８】
ミラーボール６００’の表面に多数個の反射部材６１が設置されてその上面に偏光フィルム６７が付着し、その表面にさらに複屈折フィルム２２７が付着する。複屈折フィルム２２７はその複屈折特性が一部または全部が異なり得、少なくても、隣接したものの間では複屈折特性が異なることが好ましい。
【０２９９】
本実施例の場合、反射対象物であるミラーボール６００’が回転を成して、偏光光源７０もモーターなどの変位手段によって回転を成し、その偏光方向が回転変化を成す。
【０３００】
この場合、個々の複屈折区域２２７ごとに異なる色相の光が反射してその色相は変化するようになる。
【０３０１】
本第３発明は、偏光現象を用いてミラーボールのような反射対象物の反射光の色相が変化して、特別に反射対象物表面の偏光手段の偏光方向によって、または複屈折媒質の複屈折特性によって、各反射光が各々異なる色相に変化しながら反射する偏光反射照明システムを提供する。
【０３０２】
本第３発明による場合、光源から放出される光の色は何らの変化もないにもかかわらずミラーボールのような反射対象物の反射光には色の変化が演出されるようになる。
【０３０３】
図２４〜図３１は、本件特許出願の第４発明による偏光照明システムを示す。
【０３０４】
本第４発明は、シャンデリアのように装飾物が付いた照明器具においてその光源を偏光にして、前記装飾物が多様な色相の変化を演出するようにする。
【０３０５】
図２４は、本第４発明による偏光照明装置の一例１０００ｄを示し、前記偏光照明装置１０００ｄはシャンデリアであって多数個の装飾物６６０が付着している。
【０３０６】
前記装飾物６６０は、光が通過する媒質体であって、例えばクリスタルやガラスを材質とするが、必ずしもこれに限定されるのではなく、光が透過する限りプラスチックなど他の様々な材質からなり得る。
【０３０７】
本発明による場合、前記装飾物６６０には、偏光フィルム、偏光フィルターまたは偏光板のような偏光手段が偏光光源から放出される光の照射を受けるように設置される。それに対しては、後述する。
【０３０８】
本実施例の場合、図２４と図２６を参照すると、前記装飾物６６０はシャンデリア本体周辺の装飾竿１６に紐６を通じてぶら下げられていて、前記装飾物６６０は六面体の形状であり、偏光手段である偏光フィルム６７が前記装飾物６６０の上面（表面）に付着している。
【０３０９】
それによって、前記装飾物６６０に設置された偏光フィルム６７は、前記偏光光源７０から放出される光の照射を受けるようになる。
【０３１０】
図２４を参照すると、光を偏光した後に複屈折させて放出する偏光複屈折光源１００ａが提供され、前記偏光複屈折光源１００ａには偏光光源７０が設置されている。（図２５参照）これに対しては後述する。
【０３１１】
本第４発明による場合、前記装飾物６６０には陰刻または陽刻を形成することが好ましいが、このような場合、陰刻または陽刻された部分ごとに色彩が際立って見え得るからである。
【０３１２】
一方で、前記装飾物６６０に陽刻または陰刻の代わりに装飾物の内部に気泡などを形成するか空の空間を形成するようにして、気泡や空の空間の境界面で色彩が際立って見えるようにする効果を現わすことができる。
【０３１３】
また、前記装飾物６６０を複雑な線による多数の角を有した多面体にして、各角ごとに色彩が際立って見えるようにする効果を現わすことができる。
【０３１４】
しかし、前記装飾物６６０に陽刻または陰刻や気泡や空いた空間がなく、複雑な多面体構造でなくても、本発明による色相変化の効果は現われ、したがって前記のようなものは必須要素ではない。
【０３１５】
本実施例による場合、前記装飾物６６０には陰刻のＶ字形態のホーム６０４、６０４が形成されている。（図２６参照）
【０３１６】
本発明による場合、前記偏光照明装置１０００ｄはシャンデリアに限定されず、装飾物を有する照明装置をすべて含む。
【０３１７】
本発明による場合、前記偏光照明装置１０００ｄは偏光した光を放出する偏光光源７０を有する。
【０３１８】
偏光光源７０は、例えば、光源に偏光フィルム、偏光板または偏光フィルターのような偏光手段が付着して前記光源からの光が前記偏光フィルム、偏光板または偏光フィルターなどの偏光手段を通過しながら偏光して照射されるものを、偏光光源として提供し得る。
【０３１９】
また、本発明による場合、複屈折媒質２００が提供されるが、前記複屈折媒質は前記偏光光源７０と前記装飾物６６０に設置された偏光手段の間に置かれ、それによって前記偏光光源７０から偏光して放出される光は、前記複屈折媒質２００を通過した後、前記装飾物６６０に設置された偏光手段（本実施例の場合、偏光フィルム６７）に照射される。
【０３２０】
前記複屈折媒質２００は、前記偏光光源７０と前記装飾物６６０の間で多様な位置に置くことができるが、偏光光源７０と前記装飾物６６０から各々独立してそれらの間に置くこともでき、フィルム形態のものを用いて偏光光源７０の偏光手段７４に付着することもでき、前記装飾物６６０の前記偏光手段である偏光フィルム６７の表面に付着することもできる。
【０３２１】
フィルム形態の複屈折媒質は、複屈折性を有するＯＰＰフィルム、ＰＥＴフィルムなど延伸されたプラスチックフィルムやセロハンフィルム、プラスチック板などを用いることができ、また複屈折のために特別に製造された複屈折フィルムを用いることができる。複屈折媒質として複屈折板、複屈折レンズなどを用いることができるのはもちろんである。
【０３２２】
本第４発明による場合、前記偏光光源７０から放出される光の偏光方向と、前記複屈折媒質２００の一点の位置と、前記装飾物６６０に設置された偏光手段６７の偏光方向は、相互に相対的に変化を成す。このような相対的な変化は、下記の場合を含むことができる。
【０３２３】
ここで、複屈折媒質の一点の位置の変化は、複屈折媒質上の任意の一点の位置が変化することを言うが、複屈折媒質が自転を成す場合、自転軸上の点は位置が変わらないが、他の場所の任意の点は位置が変化するので、このような場合を含む。
【０３２４】
第一、前記偏光光源７０から照射される光の偏光方向と前記複屈折媒質２００が相互に回転し、前記装飾物６６０に設置された偏光手段６７は静止している場合である。万一、偏光手段６７が装飾物６６０に固定される場合、装飾物８０が静止すると偏光手段６７も静止する。一方、偏光手段６７が装飾物６６０に固定された場合、装飾物６６０の変位（動き）によって偏光手段６７も変位を起こす。
【０３２５】
この場合は、前記偏光光源７０と前記複屈折媒質２００中で一方が静止して他方が回転する場合、そして両者７０と２００が回転するが、その回転速度が異なる場合を含む。
【０３２６】
第二、前記偏光光源７０が静止して前記複屈折媒質２００の一点と前記装飾物６６０に設置された偏光手段６７の一点が、相互に変位を成す場合である。例えば、複屈折媒質２００が回転を成す場合または上面に偏光フィルム６７が付着した装飾物６６０の紐６を介してそれら装飾物６６０が自転をする場合、または装飾物６６０が設置される装飾竿１６をシャンデリア本体を中心に公転させる場合などがあり得る。
【０３２７】
第三、前記複屈折媒質２００が静止して前記偏光光源７０から照射される光の偏光方向と前記装飾物６６０に設置された偏光手段６７の偏光方向が相互に変化する場合である。この場合も、前記偏光光源７０と装飾物６６０に設置された偏光手段の中でいずれか一つが静止して他の一つが自転または公転する場合などがあり得る。
【０３２８】
第四、前記偏光光源７０と前記複屈折媒質２００と前記装飾物６６０に設置された偏光手段６７が、すべて変位を起こす場合である。
【０３２９】
五番目、前記偏光光源７０と複屈折媒質２００が一体としてまたは等速で一緒に変位を成して、前記装飾物６６０に設置された偏光手段６７は静止した場合である。
【０３３０】
六番目、前記偏光光源７０は静止して、前記複屈折媒質２００と前記装飾物６６０に設置された偏光手段６７が一体でまたは等速で一緒に変位を成す場合である。
【０３３１】
本発明による場合、前述した回転は一部角度の回転または角度の変化を含むが、例えば、３０度、６０度、９０度または１８０度など、角度が変化する場合を含む。
【０３３２】
図２４の実施例は、偏光複屈折光源１００ａ（図２５参照）が提供されているが、この場合は、偏光光源７０と複屈折媒質２００が一体として一緒に回転し、前記装飾物６６０に付着した偏光フィルム６７が静止している。このような場合、風などによって装飾物６６０が動く場合を除外するものではなく、そのような場合を含む。
【０３３３】
図２５は、図２４の前記偏光複屈折光源１００ａの構造を示すが、前記偏光複屈折光源１００ａは、まず筐体部７１を有する。前記筐体部７１の内部には、光源６８が設置されてその前方に偏光フィルターまたは偏光フィルムのような偏光手段７４が設置される。それによって、前記光源６８の光は前記偏光手段７４を通過しながら偏光して、前記光源６８と偏光手段７４は偏光した光を放出する偏光光源７０を成す。
【０３３４】
前記筐体部７１において、前記偏光手段７４の前方には複屈折媒質２００が設置される。したがって、前記光源６８から照射されて前記偏光手段７４を経て偏光した光は、前記複屈折媒質２００を通過しながら複屈折を成してその波長によって各々偏光方向の異なった光が、前記偏光複屈折光源１００ａから放出される。
【０３３５】
本実施例による場合、モーター４４が提供されて前記筐体部７１を回転させ、それによって筐体部７１に一体に設置された偏光光源７０と複屈折媒質２００は、一体として一緒に回転して相対的変位を起こす。
【０３３６】
前記モーター４４は、制御部４６と連結されて前記制御部４６は操作部４８の命令を受ける。それによって、モーター４４の動作は、前記操作部４８の操作によって成り立つようになる。
【０３３７】
図示しなかったが、前記モーター４４が、前記複屈折媒質２００のみを回転させるように機械的構造を設計することもでき、そのような場合は偏光光源７０は静止して前記複屈折媒質２００の一点が変位を起こす場合に該当する。
【０３３８】
本第４発明による場合、動力源として必ずしもモーターが提供される必要はなく、多様な手段のものを提供することができ、手動を排除するものではない。
【０３３９】
このような偏光複屈折光源１００ａは照明をなすようになり、ここで、前記装飾物６６０に設置された偏光手段である偏光フィルム６７は、前記偏光複屈折光源１００ａからの光を受けるようになる。このような偏光複屈折光源１００ａは、一つ提供することもでき複数個提供することもできる。
【０３４０】
このような本発明による場合、偏光光源７０から放出される偏光した光は、複屈折媒質２００を経ながら複屈折して波長ごとに偏光方向の異なった光になって、前記装飾物６６０に設置された偏光フィルム６７を照射するようになる。
【０３４１】
ここで、前記偏光複屈折光源１００ａから放出される光の偏光方向は回転を成していて、各波長別に変化した各偏光方向が再び各々回転を成している状態で、前記装飾物６６０に設置された偏光フィルム６７を照射するようになる。
【０３４２】
このような場合、図２６を参照すると、前記装飾物６６０に照射される光は設置された偏光フィルム６７を通過しながら特定の色相を帯びるようになって、偏光フィルム６７を通過した光の進行方向に置かれた装飾物６６０の角Ｃ１、Ｃ２、Ｃ３でこのような色相が強く現われるようになり、一方で前記偏光複屈折光源１００ａから放出される光の偏光方向の回転によって、その現われる色相が変化を示すようになる。
【０３４３】
それは、偏光した光が複屈折して波長ごとに偏光方向が異なるものが、前記装飾物６６０の偏光手段６７に入射すると前記偏光手段６７の偏光方向と垂直を成すものは通過できなくてそうではないものは偏光角度によって全部または一部が通過を成しながら通過した波長光のものの混合によって特定の色相を帯びるようになるが、このような色相が特に角Ｃ１、Ｃ２、Ｃ３で反射などの光学的効果で強く現われるようになる。
【０３４４】
ところが、前記偏光フィルム６７に入射する光の波長ごとの偏光方向は、再び変化を起こすので、前記偏光フィルム６７を通過することができる波長とその通過比率が変わるようになり、それによって、前記装飾物６６０に現われる色相が変化を起こすようになるのである。
【０３４５】
このような現象は、前記偏光光源７０から放出される光の偏光方向と、前記複屈折媒質２００の一点の位置と、前記装飾物６６０に設置された偏光手段６７の偏光方向が相互に相対的に変化を起こす場合のすべてで発生するようになる。
【０３４６】
例えば、偏光光源から放出される光の偏光方向と前記装飾物に設置された偏光手段の偏光方向は変化なしに、複屈折媒質２００のみが回転を成して屈折方向が変化する場合にも発生する。
【０３４７】
本発明による場合、液晶素子を用いて偏光方向の変化を起こすことができる。図２７はこのような液晶素子４００の例を示し、前記偏光方向の変化を成す液晶素子４００は、ガラス基板４１０、４１０の間にスペーサー（未図示）を介在させて空間を確保して液晶４９０を充填してシーラント４３０によって密封される。前記ガラス基板４１０、４１０の下部には、透明電極４６０と液晶配向層４７０が順に積層される。
【０３４８】
前記透明電極４６０、４６０に電圧が印加されると、前記液晶４９０はその配列を変化させてそれによって前記ガラス基板４１０、４１０に偏光した光を入射させると前記液晶を通過しながら光の偏光方向が変わるようになる。実質的にこのような構造は、ＬＣＤパネルから偏光板が除去された構造である。
【０３４９】
図２８は、図２７の液晶素子４００を用いた偏光複屈折光源１００ｂの一例を示す。
【０３５０】
ケース部材９００に光源７８が設置されてその前方に偏光フィルムまたは偏光フィルターのような偏光手段７４が設置されてその前方に偏光方向の回転を成す液晶素子４００が設置されてその前方に複屈折フィルム２００が設置される。
【０３５１】
このような構造によって前記光源６８から照射される光が、前記偏光手段７４を通過しながら偏光して、以後前記液晶素子４００を通過しながら偏光方向が回転しながら前記複屈折フィルム２００を通過するようになる。それによって波長によって各々異なった偏光方向を有しながらその各波長別に偏光方向が変化する光が出力される。
【０３５２】
図２９は、図４の液晶素子４００を用いてＲ、Ｇ、Ｂの波長によって異なった偏光方向を有し、その偏光方向が回転する光を出力するＲ、Ｇ、Ｂ別に偏光光源１００ｃを示す。
【０３５３】
前記Ｒ、Ｇ、Ｂ別の偏光光源１００ｃは、赤色波長の光を放出する偏光光源１０１と緑色波長の光を放出する偏光光源１０２と青色波長の光を放出する偏光光源１０３を含み、それらは各々赤色、緑色及び青色の光源を放出する光源６８Ｒ、６８Ｇ、６８Ｂを有していて、それら光源６８Ｒ、６８Ｇ、６８Ｂの前方に偏光手段７４、７４、７４が設置され、またその前方に前述した液晶素子４００、４００、４００が設置される。
【０３５４】
それによって、Ｒ、Ｇ、Ｂ波長のものが各々出力しながらその各々の偏光方向が変化する光が出力されるが、それらＲ、Ｇ、Ｂの混合によって全体では白色光が出力されるようにすることが好ましい。
【０３５５】
それによって、シャンデリアからは白色光が出力されて照明に何らの影響を受けないが、装飾物６６０は色相の変化を起こすようになる。他の場合、その混合割合によって白色光ではない他の色の光が出力され、照明として活用することもできるだろう。
【０３５６】
それは、Ｒ、Ｇ、Ｂの波長ごとに偏光方向の異なった光が、前記装飾物６６０の偏光手段である偏光フィルム６７に入射すると前記偏光フィルム６７の偏光方向と垂直を成すものは通過できなくてそうではないものは偏光角度によって全部または一部が通過を成しながら通過した波長光のものの混合によって特定の色相を帯びるようになるが、このような色相が特に角Ｃ１、Ｃ２、Ｃ３での反射などの光学的効果で強く現われるようになる。
【０３５７】
ところが、前記偏光フィルム６７に入射する光の波長ごとの偏光方向は再び変化を起こすので、前記偏光フィルム６７を通過することができる波長とその通過比率が変化するようになり、それによって、前記装飾物６６０に現われる色相が変化を起こすようになるのである。
【０３５８】
偏光光源１００ｃは、前述したＲ、Ｇ、Ｂ別に照明装置に単独または多数個を提供することができるだろう。
【０３５９】
図３０及び図３１は、本第４発明による偏光照明装置の他の実施例１０００ｄ’を示す。
【０３６０】
この場合、偏光複屈折光源１００ｄは、筐体部７１とその内部の光源６８と偏光手段７４及び複屈折媒質２００からなる。
【０３６１】
本実施例で前記筐体部７１は静止し、装飾物６６０が変位を起こして偏光フィルム６７が変位を起こすようになるが、モーター４４の動力によって、装飾物６６０が設置された装飾竿１６が回転することを示す。
【０３６２】
装飾竿１６が設置されるベース板１９０がモーター４４の作動によって回転を成して、前記装飾物６６０が回転を成している。ここで、前記筐体部７１は回転しないで静止するように設置される。
【０３６３】
この場合も前述のように、前記装飾物６６０の偏光フィルム６７には波長ごとに偏光方向の異なった光が照射されるが、装飾物６６０の位置が変化することによって偏光複屈折光源１００ｄとの関係で偏光フィルム６７の相対的な偏光方向が変化するようになり、それによって偏光フィルム６７を通過する波長が変化して装飾物８０に現われる色相が変化するのである。
【０３６４】
このように、本第４発明は偏光現象を用いてシャンデリアのように装飾物が付いた照明装置で、その装飾物で色相が変化したように見える偏光照明装置を提供している。
【０３６５】
本第４発明の場合また、照明装置の光源から放出される光の色は、何らの変化もないにもかかわらず装飾物では色の変化が演出されるようになる。
【産業上の利用可能性】
【０３６６】
本発明による偏光照明システムは、照明用として商品などの展示または広告に用いることができ、またインテリア用に、そして建築物の美観を高めるために用いることができる。
【図１】
2014500596.tif 000003
【図２】
2014500596.tif 000004
【図３】
2014500596.tif 000005
【図４】
2014500596.tif 000006
【図５】
2014500596.tif 000007
【図６】
2014500596.tif 000008
【図７】
2014500596.tif 000009
【図８】
2014500596.tif 000010
【図９】
2014500596.tif 000011
【図１０】
2014500596.tif 000012
【図１１】
2014500596.tif 000013
【図１２】
2014500596.tif 000014
【図１３】
2014500596.tif 000015
【図１４】
2014500596.tif 000016
【図１５】
2014500596.tif 000017
【図１６】
2014500596.tif 000018
【図１７】
2014500596.tif 000019
【図１８】
2014500596.tif 000020
【図１９】
2014500596.tif 000021
【図２０】
2014500596.tif 000022
【図２１】
2014500596.tif 000023
【図２２】
2014500596.tif 000024
【図２３】
2014500596.tif 000025
【図２４】
2014500596.tif 000026
【図２５】
2014500596.tif 000027
【図２６】
2014500596.tif 000028
【図２７】
2014500596.tif 000029
【図２８】
2014500596.tif 000030
【図２９】
2014500596.tif 000031
【図３０】
2014500596.tif 000032
【図３１】
2014500596.tif 000033
【国際調査報告】
2014500596.tif 000034
2014500596.tif 000035
2014500596.tif 000036
2014500596.tif 000037